(57)【要約】      （修正有）【課題】石突きを下にして傘を立てようとした場合、手で支えていないと傘が倒れてしまうという不都合を解決するとともに自立する傘と傘保持具を提供する。【解決手段】傘１の石突き４に挿着し保持する為の溝６ａを設ける又は石突きの断面の形状に工夫を加え、傘の石突の形状と係合する保持部２３を設けた傘保持具１４に自立させたい傘の石突き４を挿着することで傘を自立させることができる。【選択図】図１
2017086573.tif 000002
【特許請求の範囲】
【請求項１】
傘（１）の石突き（４）を傘保持具（１４）などに挿着し保持するために、
傘（１）の石突き（４）の底面を分割する縦の溝（６）を設けたことを
特徴とする自立する傘
【請求項２】
傘（１）の石突き（４）を傘保持具（１４）などに挿着し保持するために
傘（１）の石突き（４）の先端に支柱（８）を設けたことを特徴とする自立する傘
【請求項３】
傘（１）の石突き（４）を傘保持具（１４）などに挿着し保持するために
傘（１）の石突き（４）に縦の穴を（７）設けたことを特徴とする自立する傘
【請求項４】
地面と接する側の石突きの底面を十の字状に分割する縦の溝（６a）を
傘（１）の石突き（４）に設けたことを特徴とする自立する傘
【請求項５】
傘（１）の石突き（４）に十の字状の縦の穴（７a）を設けたことを
特徴とする自立する傘
【請求項６】
傘（１）の石突き（４）に複数の縦の溝（６i）を周設したことを
特徴とする自立する傘
【請求項７】
地面と接する側の石突き（４）の底面をＹの字状に分割する縦の溝（６ｂ）を
傘（１）の石突き（４）に設けたことを特徴とする自立する傘
【請求項８】
傘（１）の石突き（４）にＹの字状の縦の穴（７ｂ）を設けたことを
特徴とする自立する傘
【請求項９】
地面と接する側の石突きの底面を放射状に５分割した縦の溝（６ｃ）を
傘（１）の石突き（４）に設けたことを特徴とする自立する傘
【請求項１０】
傘（１）の石突き（４）に略星型の縦の穴（７ｃ）を設けたことを特徴とする
自立する傘
【請求項１１】
地面と接する側の石突きの底面を放射状に6分割した縦の溝（６ｄ）を
傘（１）の石突き（４）に設けたことを特徴とする自立する傘
【請求項１２】
傘（１）の石突き（４）に略アスタリスク状の縦の穴（７ｄ）を設けたことを
特徴とする自立する傘
【請求項１３】
地面と接する側の石突きの底面をＳの字状に分割する縦の溝（６e）を
傘（１）の石突き（４）に設けたことを特徴とする自立する傘
【請求項１４】
傘（１）の石突き（４）にＳの字状の縦の穴（７e）を設けたことを
特徴とする自立する傘
【請求項１５】
地面と接する側の石突きの底面をＨの字状に分割する縦の溝（６ｆ）を
傘（１）の石突き（４）に設けたことを特徴とする自立する傘
【請求項１６】
傘（１）の石突き（４）にＨの字状の縦の穴（７ｆ）を設けたことを
特徴とする自立する傘
【請求項１７】
地面と接する側の石突きの底面を放射状に分割する縦の溝（６ｇ）を
傘（１）の石突き（４）に設けたことを特徴とする自立する傘
【請求項１８】
傘（１）の石突き（４）に放射状の縦の穴（７ｇ）を設けたことを
特徴とする自立する傘
【請求項１９】
地面と接する側の石突きの底面をＶの字状に分割する縦の溝（６ｈ）を
傘（１）の石突き（４）に設けたことを特徴とする自立する傘
【請求項２０】
傘（１）の石突き（４）にＶの字状の縦の穴（７ｈ）を設けたことを
特徴とする自立する傘
【請求項２１】
傘（１）の石突き（４）の断面を十の字状の形状（５a）にしたことを
特徴とする自立する傘
【請求項２２】
傘（１）の石突き（４）の断面をＹの字状の形状（５ｂ）にしたことを
特徴とする自立する傘
【請求項２３】
傘（１）の石突き（４）の断面を略星形の形状（５ｃ）にしたことを
特徴とする自立する傘
【請求項２４】
傘（１）の石突き（４）の断面をＳの字状の形状（５ｄ）にしたことを
特徴とする自立する傘
【請求項２５】
傘（１）の石突き（４）の断面をＨの字状の形状（５e）にしたことを
特徴とする自立する傘
【請求項２６】
傘（１）の石突き（４）の断面を放射状の形状（５ｆ）にしたことを
特徴とする自立する傘
【請求項２７】
傘（１）の石突き（４）の断面をＶの字状の形状（５g）にしたことを
特徴とする自立する傘
【請求項２８】
傘（１）の石突き（４）の先端に複数の支柱（８e）を設けたことを
特徴とする自立する傘
【請求項２９】
傘（１）の石突き（４）の先端に複数の支柱を十の字状（８a）に設けた
ことを特徴とする自立する傘
【請求項３０】
傘（１）の石突き（４）の先端に複数の支柱をＹの字状（８ｂ）に設けた
ことを特徴とする自立する傘
【請求項３１】
傘（１）の石突き（４）の先端に複数の支柱をＶの字状（８ｃ）に設けた
ことを特徴とする自立する傘
【請求項３２】
傘（１）の石突き（４）の先端に複数の支柱を放射状（８ｄ）に設けたことを
特徴とする自立する傘
【請求項３３】
傘（１）の石突き（４）の一部に磁石部（１１a）を設けたことを
特徴とする自立する傘
【請求項３４】
傘（１）の石突き（４）の一部にネジ部（１３a）を設けたことを
特徴とする自立する傘
【請求項３５】
請求項１〜３２のいずれかに記載の自立する傘において
傘（１）の石突き（４）の一部に磁石部（１１a）を更に備えたことを
特徴とする自立する傘
【請求項３６】
請求項１〜３２のいずれかに記載の自立する傘において
傘（１）の石突き（４）の一部にネジ部（１３a）を更に備えたことを
特徴とする自立する傘
【請求項３７】
請求項１〜３２のいずれかに記載の自立する傘において
傘（１）の石突き（４）の一部に凹凸部（１２a）を更に備えたことを
特徴とする自立する傘
【請求項３８】
請求項３５に記載の自立する傘において
傘（１）の石突き（４）の一部にネジ部（１３a）を更に備えたことを
特徴とする自立する傘
【請求項３９】
請求項３６と請求項３８のいずれかに記載の自立する傘において
傘（１）の石突き（４）の一部に凹凸部（１２a）を更に備えたことを
特徴とする自立する傘
【請求項４０】
傘（１）の石突き（４）の先端に、底面を分割する縦の溝（９）を備えた
支柱を設けたことを特徴とする自立する傘
【請求項４１】
傘（１）の石突き（４）の先端に設けた支柱（８）に縦の穴（１０）を備えた
ことを特徴とする自立する傘
【請求項４２】
傘（１）の石突き（４）の先端に支柱（８）を設け、前記支柱（８）の底面を
十の字状に分割する縦の溝（９a）を更に備えたことを特徴とする自立する傘
【請求項４３】
傘（１）の石突き（４）の先端に支柱（８）を設け、前記支柱（８）に
十の字状の縦の穴（１０a）を更に備えたことを特徴とする自立する傘
【請求項４４】
傘（１）の石突き（４）の先端に複数の縦の溝を周設した支柱（９i）を設けた
ことを特徴とする自立する傘
【請求項４５】
底面をＹの字状に分割する縦の溝（９ｂ）を備えた支柱（８）を傘（１）の
石突き（４）の先端に備えたことを特徴とする自立する傘
【請求項４６】
傘（１）の石突き（４）の先端に支柱（８）を設け、前記支柱（８）に
Ｙの字状の縦の穴（１０ｂ）を更に備えたことを特徴とする自立する傘
【請求項４７】
底面を放射状に5分割した縦の溝（９ｃ）を備えた支柱（８）を傘（１）の
石突き（４）の先端に設けたことを特徴とする自立する傘
【請求項４８】
傘（１）の石突き（４）の先端に支柱（８）を設け、前記支柱（８）に
略星型の縦の穴（１０ｃ）を更に備えたことを特徴とする自立する傘
【請求項４９】
底面を放射状に６分割した縦の溝（９ｄ）を備えた支柱（８）を傘（１）の
石突き（４）の先端に設けたことを特徴とする自立する傘
【請求項５０】
傘（１）の石突き（４）の先端に支柱（８）を設け、前記支柱（８）に
アスタリスク型の縦の穴（１０ｄ）を更に備えたことを特徴とする自立する傘
【請求項５１】
傘（１）の石突き（４）の先端に支柱（８）を設け、前記支柱（８）の底面を
Ｓの字状に分割する縦の溝（９e）を更に備えたことを特徴とする自立する傘
【請求項５２】
傘（１）の石突き（４）の先端に支柱（８）を設け、前記支柱（８）に
Ｓの字状の縦の穴（１０e）を更に備えたことを特徴とする自立する傘
【請求項５３】
底面をＨの字状に分割する縦の溝（９ｆ）を備えた支柱（８）を傘（１）の
石突き（４）の先端に設けたことを特徴とする自立する傘
【請求項５４】
傘（１）の石突き（４）の先端に支柱（８）を設け、前記支柱（８）に
Hの字状の縦の穴（１０ｆ）を更に備えたことを特徴とする自立する傘
【請求項５５】
底面を放射状に分割する縦の溝（９ｇ）を備えた支柱（８）を傘（１）の
石突き（４）の先端に設けたことを特徴とする自立する傘
【請求項５６】
傘（１）の石突き（４）の先端に支柱（８）を設け、前記支柱（８）に
放射状の縦の穴（１０ｇ）を更に備えたことを特徴とする自立する傘
【請求項５７】
底面をＶの字状に分割する縦の溝（９ｈ）を備えた支柱（８）を傘（１）の
石突き（４）の先端に設けたことを特徴とする自立する傘
【請求項５８】
傘（１）の石突き（４）の先端に支柱（８）を設け、前記支柱（８）に
Ｖの字状の縦の穴（１０ｈ）を更に備えたことを特徴とする自立する傘
【請求項５９】
断面が十の字状の支柱（１０i）を傘（１）の石突き（４）の先端に設けた
ことを特徴とする自立する傘
【請求項６０】
断面がＹの字状の支柱（１０j）を傘（１）の石突き（４）の先端に設けた
ことを特徴とする自立する傘
【請求項６１】
断面が略星型の支柱（１０ｋ）を傘（１）の石突き（４）の先端に設けた
ことを特徴とする自立する傘
【請求項６２】
断面がＳの字状の支柱（１０ｌ）を傘（１）の石突き（４）の先端に設けた
ことを特徴とする自立する傘
【請求項６３】
断面がＨの字状の支柱（１０ｍ）を傘（１）の石突き（４）の先端に設けた
ことを特徴とする自立する傘
【請求項６４】
断面が放射状の支柱（１０ｎ）を傘（１）の石突き（４）の先端に設けた
ことを特徴とする自立する傘
【請求項６５】
断面がＶの字状の支柱（１０o）を傘（１）の石突き（４）の先端に設けた
ことを特徴とする自立する傘
【請求項６６】
傘（１）の石突き（４）の先端に設けた支柱（８）の一部に
磁石（１１ｂ）を備えたことを特徴とする自立する傘  
【請求項６７】
傘（１）の石突き（４）の先端に設けた支柱（８）の一部にネジ部（１３b）を
備えたことを特徴とする  自立する傘
【請求項６８】
請求項４０〜６７のいずれかに記載の自立する傘において
傘（１）の石突き（４）の先端に設けた支柱（８）の一部に磁石（１１ｂ）を
更に備えたことを特徴とする自立する傘  
【請求項６９】
請求項４０〜６８のいずれかに記載の自立する傘において
傘（１）の石突き（４）の先端に設けた支柱（８）の一部にネジ部（１３ｂ）を
更に備えたことを特徴とする自立する傘  
【請求項７０】
請求項４０〜６９のいずれかに記載の自立する傘において
傘（１）の石突き（４）の先端に設けた支柱（８）の一部に凹凸部（１２ｂ）を
更に備えたことを特徴とする自立する傘
【請求項７１】
請求項７０に記載の自立する傘において
傘（１）の石突き（４）の先端に設けた支柱（８）の一部にネジ部（１３ｂ）を
更に備えたことを特徴とする自立する傘  
【請求項７２】
請求項６９と請求項７１のいずれかに記載の自立する傘において
傘（１）の石突き（４）の先端に設けた支柱（８）の一部に凹凸部（１２ｂ）を
更に備えたことを特徴とする自立する傘  
【請求項７３】
傘保持具（１４）の一部に傘を支える為の複数の支脚（１６）と
傘の石突きの断面がSの字状の形状（５ｄ）又は石突きの先端に設けた支柱の断面が
Sの字状の形状（１０ｌ）の傘を挿着し保持するための、Ｓの字状の溝（１４a）を
備えた保持部（１５）を傘保持具の一部に設けたことを特徴とする傘保持具
【請求項７４】
傘保持具（１４）の一部に傘を支える為の複数の支脚（１６）と
傘の石突きの断面がSの字状の形状（５ｄ）又は石突きの先端に設けた支柱の断面が
Sの字状の形状（１０ｌ）の傘を挿着し保持するための、Ｓの字状の穴（１８a）を
備えた保持部（１５）を傘保持具の一部に設けたことを特徴とする傘保持具
【請求項７５】
傘保持具（１４）の一部に傘を支える為の複数の支脚（１６）と
傘の石突きの断面がHの字状の形状（５e）又は石突きの先端に設けた支柱の断面が
Hの字状の形状（１０ｍ）の傘を挿着し保持するための、Ｈの字状の溝（１４ｂ）を
備えた保持部（１５）を傘保持具の一部に設けたことを特徴とする傘保持具
【請求項７６】
傘保持具（１４）の一部に傘を支える為の複数の支脚（１６）と
傘の石突きの断面がHの字状の形状（５e）又は石突きの先端に設けた支柱の断面が
Hの字状の形状（１０ｍ）の傘を挿着し保持するための、Ｈの字状の穴（１８ｂ）を
備えた保持部（１５）を傘保持具の一部に設けたことを特徴とする傘保持具
【請求項７７】
傘保持具（１４）の一部に傘を支える為の複数の支脚（１６）と
傘の石突きの断面がVの字状の形状（５ｇ）又は石突きの先端に設けた支柱の断面が
Vの字状の形状（１０o）の傘を挿着し保持するための、Ｖの字状の溝（１４ｃ）を
備えた保持部（１５）を傘保持具の一部に設けたことを特徴とする傘保持具
【請求項７８】
傘保持具（１４）の一部に傘を支える為の複数の支脚（１６）と
傘の石突きの断面がVの字状の形状（５ｇ）又は石突きの先端に設けた支柱の断面が
Vの字状の形状（１０o）の傘を挿着し保持するための、Ｖの字状の穴（１８ｃ）を
備えた保持部（１５）を傘保持具の一部に設けたことを特徴とする傘保持具
【請求項７９】
傘保持具（１４）の一部に傘を支える為の複数の支脚（１６）と
傘の石突きの断面が十の字状の形状（５a）又は石突きの先端に設けた支柱の断面が
十の字状の形状（１０i）の傘を挿着し保持するための、十の字状の溝（１４ｄ）を
備えた保持部（１５）を傘保持具の一部に設けたことを特徴とする傘保持具
【請求項８０】
傘保持具（１４）の一部に傘を支える為の複数の支脚（１６）と
傘の石突きの断面が十の字状の形状（５a）又は石突きの先端に設けた支柱の断面が
十の字状の形状（１０i）の傘を挿着し保持するための十の字状の穴（１８d）を
備えた保持部（１５）を傘保持具の一部に設けたことを特徴とする傘保持具
【請求項８１】
傘保持具（１４）の一部に傘を支える為の複数の支脚（１６）と
傘保持具（１４）の一部に傘の石突き又は支柱を挿着し保持するための、複数の
縦の溝（１４e）を保持部（１５）に周設したことを特徴とする傘保持具
【請求項８２】
傘保持具（１４）の一部に傘を支える為の複数の支脚（１６）と
傘の石突きの断面がYの字状の形状（５ｂ）又は石突きの先端に設けた支柱の断面が
Yの字状の形状（１０ｊ）の傘を挿着し保持するためのＹの字状の溝（１４ｆ）を
備えた保持部（１５）を傘保持具の一部に設けたことを特徴とする傘保持具
【請求項８３】
傘保持具（１４）の一部に傘を支える為の複数の支脚（１６）と
傘の石突きの断面がYの字状の形状（５ｂ）又は石突きの先端に設けた支柱の断面が
Yの字状の形状（１０ｊ）の傘を挿着し保持するためのＹの字状の穴（１８ｆ）を
備えた保持部（１５）を傘保持具の一部に設けたことを特徴とする傘保持具
【請求項８４】
傘保持具（１４）の一部に傘を支える為の複数の支脚（１６）と
傘の石突きの断面が略星型の形状（５ｃ）又は石突きの先端に設けた支柱の断面が
略星型の形状（１０ｋ）の傘を挿着し保持するための略星型の溝（１４ｇ）を備えた
保持部（１５）を傘保持具の一部に設けたことを特徴とする傘保持具
【請求項８５】
傘保持具（１４）の一部に傘を支える為の複数の支脚（１６）と
傘の石突きの断面が略星形の形状（５ｃ）又は石突きの先端に設けた支柱の断面が
略星型の形状（１０ｋ）の傘を挿着し保持するための略星型の穴（１８ｇ）を備えた
保持部（１５）を傘保持具の一部に設けたことを特徴とする傘保持具
【請求項８６】
傘保持具（１４）の一部に傘を支える為の複数の支脚（１６）と
傘の石突きの断面が放射状の形状（５ｆ）又は石突きの先端に設けた支柱の断面が
放射状の形状（１０ｎ）の傘を挿着し保持するための放射状の溝（１４ｈ）を備えた
保持部（１５）を傘保持具の一部に設けたことを特徴とする傘保持具
【請求項８７】
傘保持具（１４）の一部に傘を支える為の複数の支脚（１６）と
傘の石突きの断面が放射状の形状（５ｆ）又は石突きの先端に設けた支柱の断面が
放射状の形状（１０ｎ）の傘を挿着し保持するための放射状の穴（１８ｈ）を備えた
保持部（１５）を傘保持具の一部に設けたことを特徴とする傘保持具
【請求項８８】
傘保持具（１４）の一部に傘を支える為の複数の支脚（１６）と
石突きの底面を十の字状に分割する縦の溝（６a）を設けた傘の石突き
又は傘の石突きの先端に設けた支柱の底面を十の字状に分割する縦の溝（９a）を
設けた傘の支柱を挿着し保持するために、断面が十の字状の支え柱（１７a）を備えた
保持部（１５）を傘保持具の一部に設けたことを特徴とする傘保持具
【請求項８９】
傘保持具（１４）の一部に傘を支える為の複数の支脚（１６）と
石突きの底面をＹの字状に分割する縦の溝（６ｂ）を設けた傘の石突き
又は傘の石突きの先端に設けた支柱の底面をYの字状に分割する縦の溝（９ｂ）を
設けた傘の支柱を挿着し保持するために、断面がＹの字状の支え柱（１７ｂ）を備えた
保持部（１５）を傘保持具の一部に設けたことを特徴とする傘保持具
【請求項９０】
傘保持具（１４）の一部に傘を支える為の複数の支脚（１６）と
石突きの底面を放射状に5分割する縦の溝（６ｃ）を設けた傘の石突き
又は傘の石突きの先端に設けた支柱の底面を放射状に5分割する縦の溝（９ｃ）を
設けた傘の支柱を挿着し保持するために、断面が5本の放射状の支え柱（１７ｃ）を
備えた保持部（１５）を傘保持具の一部に設けたことを特徴とする傘保持具
【請求項９１】
傘保持具（１４）の一部に傘を支える為の複数の支脚（１６）と
石突きの底面を放射状に6分割する縦の溝（６ｄ）を設けた傘の石突き
又は傘の石突きの先端に設けた支柱の底面を放射状に６分割する縦の溝（９ｄ）を
設けた傘の支柱を挿着し保持するために、断面が６本の放射状の支え柱（１７ｄ）を
備えた保持部（１５）を傘保持具の一部に設けたことを特徴とする傘保持具
【請求項９２】
傘保持具（１４）の一部に傘を支える為の複数の支脚（１６）と
石突きの底面を放射状に分割する縦の溝（６ｇ）を設けた傘の石突き
又は傘の石突きの先端に設けた支柱の底面を放射状に分割する縦の溝（９ｇ）を
設けた傘の支柱を挿着し保持するために、断面が放射状の支え柱（１７e）を備えた
保持部（１５）を傘保持具の一部に設けたことを特徴とする傘保持具
【請求項９３】
傘保持具（１４）の一部に傘を支える為の複数の支脚（１６）と
石突きの底面をSの字状に分割する縦の溝（６e）を設けた傘の石突き
又は傘の石突きの先端に設けた支柱の底面をＳの字状に分割する縦の溝（９e）を
設けた傘の支柱を挿着し保持するために、断面がＳの字状の支え柱（１７ｆ）を
備えた保持部（１５）を傘保持具の一部に設けたことを特徴とする傘保持具
【請求項９４】
傘保持具（１４）の一部に傘を支える為の複数の支脚（１６）と
石突きの底面をHの字状に分割する縦の溝（６ｆ）を設けた傘の石突き
又は傘の石突きの先端に設けた支柱の底面をＨの字状に分割する縦の溝（９ｆ）を
設けた傘の支柱を挿着し保持するために、断面がＨの字状の支え柱（１７ｇ）を
備えた保持部（１５）を傘保持具の一部に設けたことを特徴とする傘保持具
【請求項９５】
傘保持具（１４）の一部に傘を支える為の複数の支脚（１６）と
石突きの底面をVの字状に分割する縦の溝（６ｈ）を設けた傘の石突き
又は傘の石突きの先端に設けた支柱の底面をＶの字状に分割する縦の溝（９ｈ）を
設けた傘の支柱を挿着し保持するために、断面がＶの字状の支え柱（１７ｈ）を
備えた保持部（１５）を傘保持具の一部に設けたことを特徴とする傘保持具
【請求項９６】
傘保持具の一部に複数の支脚（１６）と傘の石突きを挿着し保持するための
複数の支え柱（１７i）を備えた保持部（１５）を傘保持具の一部に設けたことを
特徴とする傘保持具
【請求項９７】
傘保持具の一部に複数の支脚（１６）と傘の石突きを挿着し保持するための、
十の字状に配置した複数の支え柱（１７ｊ）を備えた保持部（１５）を傘保持具の
一部に設けたことを特徴とする傘保持具
【請求項９８】
傘保持具の一部に複数の支脚（１６）と傘の石突きを挿着し保持するための、
Ｙの字状に配置した複数の支え柱（１７ｋ）を備えた保持部（１５）を傘保持具の
一部に設けたことを特徴とする傘保持具
【請求項９９】
傘保持具の一部に複数の支脚（１６）と傘の石突きを挿着し保持するための、
Ｖの字状に配置した複数の支え柱（１７ｌ）を備えた保持部（１５）を傘保持具の
一部に設けたことを特徴とする傘保持具
【請求項１００】
傘保持具の一部に複数の支脚（１６）と傘の石突きを挿着し保持するための、
放射状に配置した複数の支え柱（１７ｍ）を備えた保持部（１５）を傘保持具の
一部に設けたことを特徴とする傘保持具
【請求項１０１】
請求項７３〜１００のいずれかに記載の傘保持具において
保持部（１５）の一部に磁石部（１９）を更に備えたことを特徴とする傘保持具
【請求項１０２】
請求項７３〜１００のいずれかに記載の傘保持具において
保持部（１５）の一部に凹凸部（２０）を更に備えたことを特徴とする傘保持具
【請求項１０３】
請求項１０１に記載の傘保持具において
保持部（１５）の一部に更に凹凸部（２０）を備えたことを特徴とする傘保持具
【請求項１０４】
請求項７３〜１０３のいずれかに記載の傘保持具において
傘保持具から保持部（１５）を付け外しできるネジ部（２１）を更に備えたことを
特徴とする傘保持具
【請求項１０５】
請求項７３〜１０４のいずれかに記載の自立する傘と
請求項４０〜７２のいずれかに記載の傘保持具において
傘の石突きに設けた雄ネジ部（１３）と傘保持具に設けた雌ネジ部（２１）を
回しはめることで傘を自立させることができることを特徴とする自立する傘と傘保持具
【請求項１０６】
請求項７３〜１０５のいずれかに記載の傘保持具において
傘保持具の一部にバネ（２２）の力で挟む挟持部（２３）を更に備え、
傘の手元（２）に傘保持具の挟持部（２３）を装着することで傘保持具の支脚部
（１６）を傘のフック（２４）として使用できるようにしたことを特徴とする傘保持具
【請求項１０７】
請求項１〜７２のいずれかに記載の自立する傘において
自立する傘の石突き又は自立する傘の石突きの先端に設けた支柱の形状に係合する
保持部を備えた傘保持具に挿着することで、挿着した傘を立たせた状態で保持させる
ことができるようにしたことを特徴とする自立する傘と傘保持具
【発明の詳細な説明】
【技術分野】
【０００１】
本発明は傘と傘保持具に関するものであり、傘の石突きの形状に工夫を加え
傘の石突きに挿着可能な傘保持具を挿着することで傘を自立させることができる
ようにしたものであり、また傘保持具を傘の手元に付け替えることで
傘掛けフックとしても利用できるようにしたものである。
【発明の開示】
【発明が解決しようとする課題】
【０００２】
従来のような傘では、自立させることができず、手でもっていないと傘が倒れて
しまい不便である。本発明は、傘を手で持たなくても自立した状態を保持できる
ようにし、地面に置いた傘が倒れてしまうという不都合を解決することを課題とする
【課題を解決するための手段】
【０００３】
上記課題を解決するために請求項１に記載の発明は
傘（１）の石突き（４）を傘保持具（１４）などに挿着し保持するために、
傘（１）の石突き（４）の底面を分割する縦の溝（６）を設けたことを
特徴とする自立する傘である。
これにより傘の石突きに設けた溝を傘保持具の保持部に挿着することで
石突きに設けた溝により支えられ倒れることなく傘を立たせておくことができる。
【０００４】
請求項2に記載の発明は
傘（１）の石突き（４）を傘保持具（１４）などに挿着し保持するために
傘（１）の石突き（４）の先端に支柱（８）を設けたことを特徴とする自立する傘
である。
これにより傘の石突きの先端に設けた支柱を傘保持具の保持部に挿着する
ことで傘の支柱で保持され倒れることなく傘を立たせておくことができる。
【０００５】
請求項3に記載の発明は
傘（１）の石突き（４）を傘保持具（１４）などに挿着し保持するために
傘（１）の石突き（４）に縦の穴を（７）設けたことを特徴とする自立する傘である。
これにより傘の石突きに設けた縦の穴を傘保持具の保持部に挿着することで傘の
石突きが保持され倒れることなく傘を立たせておくことができる。
【０００６】
請求項4に記載の発明は
地面と接する側の石突きの底面を十の字状に分割する縦の溝（６a）を
傘（１）の石突き（４）に設けたことを特徴とする自立する傘である。
これにより傘の石突きの底面を十の字状に分割する縦の溝に、断面が十の字状の
支え柱を備えた傘保持具の保持部を挿着することで傘の石突きが保持され
倒れることなく傘を立たせておくことができる。また傘の石突きの底面を十の字状に
分割する縦の溝を設けるだけで傘の石突きの底面の大きさを問わず、断面が十の字状の
支え柱を備えた傘保持具の保持部に挿着することができ、傘の石突きの底面の大きさを
問わず、傘の石突きが保持され倒れることなく傘を立たせておくことができる。
【０００７】
請求項5に記載の発明は
傘（１）の石突き（４）に十の字状の縦の穴（７a）を設けたことを
特徴とする自立する傘である。
これにより傘の石突きに設けた十の字状の縦の穴を、十の字状の支え柱を備えた
傘保持具の保持部に挿着することで傘の石突きが保持され
倒れることなく傘を立たせておくことができる。
【０００８】
請求項6に記載の発明は
傘（１）の石突き（４）に複数の縦の溝（６i）を周設したことを
特徴とする自立する傘である。
これにより傘の石突きに周設した複数の縦の溝を、係合する支え柱を備えた
保持部を設けた傘保持具の保持部に挿着することで傘の石突きが保持され
倒れることなく傘を立たせておくことができる
【０００９】
請求項7に記載の発明は
地面と接する側の石突き（４）の底面をＹの字状に分割する縦の溝（６ｂ）を
傘（１）の石突き（４）に設けたことを特徴とする自立する傘である。
これにより傘の石突きの底面をYの字状に分割する縦の溝に、断面がYの字状の
支え柱を備えた傘保持具の保持部を挿着することで傘の石突きが保持され倒れる
ことなく傘を立たせておくことができる。また傘の石突きの底面をYの字状に
分割する縦の溝を設けるだけで傘の石突きの底面の大きさを問わず、断面が
Yの字状の支え柱を備えた傘保持具の保持部に挿着することができ、傘の石突きの
底面の大きさを問わず、傘の石突きが保持され倒れることなく傘を立たせておく
ことができる。
【００１０】
請求項8に記載の発明は
傘（１）の石突き（４）にＹの字状の縦の穴（７ｂ）を設けたことを
特徴とする自立する傘である。
これにより傘の石突きに設けたYの字状の縦の穴を、Yの字状の支え柱を備えた
傘保持具の保持部に挿着することで傘の石突きが保持され倒れることなく傘を
立たせておくことができる。
【００１１】
請求項9に記載の発明は
地面と接する側の石突きの底面を放射状に５分割した縦の溝（６ｃ）を
傘（１）の石突き（４）に設けたことを特徴とする自立する傘である。
これにより傘の石突きの底面を放射状に５分割する縦の溝を備えた傘の石突きを、
断面が５本の放射状の支え柱を備えた傘保持具の保持部に挿着することで傘の
石突きが保持され倒れることなく傘を立たせておくことができる。
また傘の石突きの底面を放射状に５分割する縦の溝を
設けるだけで傘の石突きの底面の大きさを問わず、断面が５本の放射状の支え柱を
備えた傘保持具の保持部に挿着することができ、傘の石突きの底面の大きさを問わず、
傘の石突きが保持され倒れることなく傘を立たせておくことができる。
【００１２】
請求項１０に記載の発明は
傘（１）の石突き（４）に略星型の縦の穴（７ｃ）を設けたことを特徴とする
自立する傘である。
これにより傘の石突きに設けた略星型の縦の穴を、Yの字状の支え柱を備えた
傘保持具の保持部に挿着することで傘の石突きが保持され倒れることなく傘を
立たせておくことができる。
【００１３】
請求項１１に記載の発明は
地面と接する側の石突きの底面を放射状に6分割した縦の溝（６ｄ）を
傘（１）の石突き（４）に設けたことを特徴とする自立する傘である。
これにより傘の石突きの底面を放射状に６分割する縦の溝を備えた傘の石突きを、
断面が６本の放射状の支え柱を備えた傘保持具の保持部に挿着することで
傘の石突きが保持され倒れることなく傘を立たせておくことができる。
また傘の石突きの底面を放射状に６分割する縦の溝を設けるだけで傘の石突きの
底面の大きさを問わず、断面が６本の放射状の支え柱を備えた傘保持具の保持部に
挿着することができ、傘の石突きの底面の大きさを問わず、傘の石突きが保持され
倒れることなく傘を立たせておくことができる。
【００１４】
請求項１２に記載の発明は
傘（１）の石突き（４）に略アスタリスク状の縦の穴（７ｄ）を設けたことを
特徴とする自立する傘である。
これにより傘の石突きに設けた略アスタリスク状の
縦の穴を、略アスタリスク状の支え柱を備えた傘保持具の保持部に挿着することで
傘の石突きが保持され倒れることなく傘を立たせておくことができる。
【００１５】
請求項１３に記載の発明は
地面と接する側の石突きの底面をＳの字状に分割する縦の溝（６e）を
傘（１）の石突き（４）に設けたことを特徴とする自立する傘である。
これにより傘の石突きの底面をSの字状に分割する溝に、断面がSの字状の支え柱を
備えた傘保持具の保持部を挿着することで傘の石突きが保持され倒れることなく傘を
立たせておくことができる。また傘の石突きの底面に連続したSの字状の溝を設ける
だけで傘の石突きの底面の大きさを問わず、断面がSの字状の支え柱を備えた
傘保持具の保持部に挿着することができ、傘の石突きの底面の大きさを問わず、
傘の石突きが保持され倒れることなく傘を立たせておくことができる。
【００１６】
請求項１４に記載の発明は
傘（１）の石突き（４）にＳの字状の縦の穴（７e）を設けたことを
特徴とする自立する傘である。
これにより傘の石突きに設けたSの字状の縦の穴を、Sの字状の支え柱を備えた
傘保持具の保持部に挿着することで傘の石突きが保持され倒れることなく傘を
立たせておくことができる。
【００１７】
請求項１５に記載の発明は
地面と接する側の石突きの底面をＨの字状に分割する縦の溝（６ｆ）を
傘（１）の石突き（４）に設けたことを特徴とする自立する傘である。
これにより傘の石突きに設けたHの字状に分割する溝を、Hの字状の支え柱を
備えた傘保持具の保持部に挿着することで傘の石突きが保持され倒れることなく
傘を立たせておくことができる。
【００１８】
請求項１６に記載の発明は
傘（１）の石突き（４）にＨの字状の縦の穴（７ｆ）を設けたことを
特徴とする自立する傘である。
これにより傘の石突きに設けたHの字状の縦の穴を、Hの字状の支え柱を備えた
傘保持具の保持部に挿着することで傘の石突きが保持され倒れることなく傘を
立たせておくことができる。
【００１９】
請求項１７に記載の発明は
地面と接する側の石突きの底面を放射状に分割する縦の溝（６ｇ）を
傘（１）の石突き（４）に設けたことを特徴とする自立する傘である。
これにより傘の石突きの底面を放射状に分割する縦の溝を備えた傘の石突きを、
断面が放射状の支え柱を備えた傘保持具の保持部に挿着することで
傘の石突きが保持され倒れることなく傘を立たせておくことができる。
また傘の石突きの底面を放射状に分割する縦の溝を設けるだけで傘の石突きの
底面の大きさを問わず、断面が放射状の支え柱を備えた傘保持具の保持部に挿着する
ことができ、傘の石突きの底面の大きさを問わず、傘の石突きが保持され倒れる
ことなく傘を立たせておくことができる。
【００２０】
請求項１８に記載の発明は
傘（１）の石突き（４）に放射状の縦の穴（７ｇ）を設けたことを
特徴とする自立する傘である。
これにより傘の石突きに設けた放射状の縦の穴を、放射状の支え柱を備えた
傘保持具の保持部に挿着することで傘の石突きが保持され倒れることなく傘を
立たせておくことができる。
【００２１】
請求項１９に記載の発明は
地面と接する側の石突きの底面をＶの字状に分割する縦の溝（６ｈ）を
傘（１）の石突き（４）に設けたことを特徴とする自立する傘である。
これにより傘の石突きの底面をVの字状に分割する縦の溝に、断面がVの字状の
支え柱を備えた傘保持具の保持部を挿着することで傘の石突きが保持され倒れる
ことなく傘を立たせておくことができる。また傘の石突きに底面をVの字状に分割する
縦の溝を設けるだけで傘の石突きの底面の大きさを問わず、断面がVの字状の支え柱を
備えた傘保持具の保持部に挿着することができ、傘の石突きの底面の大きさを問わず、
傘の石突きが保持され倒れることなく傘を立たせておくことができる。
【００２２】
請求項２０に記載の発明は
傘（１）の石突き（４）にＶの字状の縦の穴（７ｈ）を設けたことを
特徴とする自立する傘である。
これにより傘の石突きに設けたVの字状の縦の穴を、Vの字状の支え柱を備えた
傘保持具の保持部に挿着することで傘の石突きが保持され倒れることなく傘を
立たせておくことができる。
【００２３】
請求項２１に記載の発明は
傘（１）の石突き（４）の断面を十の字状の形状（５a）にしたことを
特徴とする自立する傘である。
これにより石突きの断面が十の字状の傘の石突きを、保持部に十の字状の溝を備えた
傘保持具の保持部に装着することで傘の石突きが保持され倒れることなく傘を立たせて
おくことができる。また傘の石突きの断面を十の字状の形状にすることで傘の石突きの
底面の大きさを問わず、十の字状の溝を備えた傘保持具の保持部に挿着することが
でき、傘の石突きの底面の大きさを問わず、傘の石突きが保持され倒れることなく
傘を立たせておくことができる。
【００２４】
請求項２２に記載の発明は
傘（１）の石突き（４）の断面をＹの字状の形状（５ｂ）にしたことを
特徴とする自立する傘である。
これにより石突きの断面がYの字状の傘の石突きを、保持部にYの字状の溝を備えた
傘保持具の保持部に装着することで傘の石突きが保持され倒れることなく傘を立たせて
おくことができる。また傘の石突きの断面をYの字状の形状にすることで
傘の石突きの底面の大きさを問わず、Yの字状の溝を備えた傘保持具の保持部に
挿着することができ、傘の石突きの底面の大きさを問わず、傘の石突きが保持され
倒れることなく傘を立たせておくことができる。
【００２５】
請求項２３に記載の発明は
傘（１）の石突き（４）の断面を略星形の形状（５ｃ）にしたことを
特徴とする自立する傘である。
これにより石突きの断面が略星型の傘の石突きを、保持部に略星型の溝を備えた
傘保持具の保持部に装着することで傘の石突きが保持され倒れることなく傘を立たせて
おくことができる。
【００２６】
請求項２４に記載の発明は
傘（１）の石突き（４）の断面をＳの字状の形状（５ｄ）にしたことを
特徴とする自立する傘である。
これにより石突きの断面がSの字状の傘の石突きを、保持部にSの字状の溝を備えた
傘保持具の保持部に装着することで傘の石突きが保持され倒れることなく傘を立たせて
おくことができる。また傘の石突きの断面を連続したSの字状の形状にすることで
傘の石突きの底面の大きさを問わず、連続したSの字状の溝を備えた傘保持具の
保持部に挿着することができ、傘の石突きの底面の大きさを問わず、
傘の石突きが保持され倒れることなく傘を立たせておくことができる。
【００２７】
請求項２５に記載の発明は
傘（１）の石突き（４）の断面をＨの字状の形状（５e）にしたことを
特徴とする自立する傘である。
これにより石突きの断面がHの字状の傘の石突きを、保持部にHの字状の溝を備えた
傘保持具の保持部に装着することで傘の石突きが保持され倒れることなく傘を
立たせておくことができる。
【００２８】
請求項２６に記載の発明は
傘（１）の石突き（４）の断面を放射状の形状（５ｆ）にしたことを
特徴とする自立する傘である。
これにより石突きの断面が放射状の傘の石突きを、保持部に放射状の溝を備えた
傘保持具の保持部に装着することで傘の石突きが保持され倒れることなく傘を立たせて
おくことができる。また傘の石突きの断面を放射状の形状にすることで傘の石突きの
底面の大きさを問わず、放射状の溝を備えた傘保持具の保持部に挿着することが
でき、傘の石突きの底面の大きさを問わず、
傘の石突きが保持され倒れることなく傘を立たせておくことができる。
【００２９】
請求項２７に記載の発明は
傘（１）の石突き（４）の断面をＶの字状の形状（５g）にしたことを
特徴とする自立する傘である。
これにより石突きの断面がVの字状の傘の石突きを、保持部にVの字状の溝を備えた
傘保持具の保持部に装着することで傘の石突きが保持され倒れることなく傘を立たせて
おくことができる。また傘の石突きの断面をVの字状の形状にすることで傘の石突きの
底面の大きさを問わず、Vの字状の溝を備えた傘保持具の保持部に挿着することが
でき、傘の石突きの底面の大きさを問わず、傘の石突きが保持され倒れることなく
傘を立たせておくことができる。
【００３０】
請求項２８に記載の発明は
傘（１）の石突き（４）の先端に複数の支柱（８e）を設けたことを
特徴とする自立する傘である。
これにより石突きに設けた複数の支柱を、保持部に縦の溝を周設した傘保持具の
保持部の溝に挿着することで、傘の石突きの先端に設けた複数の支柱により傘保持具の
保持部が保持され、挿着した傘を立たせておくことができる。
【００３１】
請求項２９に記載の発明は
傘（１）の石突き（４）の先端に複数の支柱を十の字状（８a）に設けた
ことを特徴とする自立する傘である。
これにより石突きの先端に複数の支柱を十の字状に設けた傘の支柱を、保持部に
十の字状の溝を備えた傘保持具の保持部に装着することで傘の石突きが保持され
倒れることなく傘を立たせておくことができる。
【００３２】
請求項３０に記載の発明は
傘（１）の石突き（４）の先端に複数の支柱をＹの字状（８ｂ）に設けた
ことを特徴とする自立する傘である。
これにより石突きの先端に複数の支柱をYの字状に設けた傘の支柱を、保持部に
Yの字状の溝を備えた傘保持具の保持部に装着することで傘の石突きが保持され
倒れることなく傘を立たせておくことができる。
【００３３】
請求項３１に記載の発明は
傘（１）の石突き（４）の先端に複数の支柱をＶの字状（８ｃ）に設けた
ことを特徴とする自立する傘である。
これにより石突きの先端に複数の支柱をVの字状に設けた傘の支柱を、保持部に
Vの字状の溝を備えた傘保持具の保持部に装着することで傘の石突きが保持され
倒れることなく傘を立たせておくことができる。
【００３４】
請求項３２に記載の発明は
傘（１）の石突き（４）の先端に複数の支柱を放射状（８ｄ）に設けたことを
特徴とする自立する傘である。
これにより石突きの先端に複数の支柱を放射状に設けた傘の支柱を、保持部に
放射状の溝を備えた傘保持具の保持部に装着することで傘の石突きが保持され
倒れることなく傘を立たせておくことができる。
【００３５】
請求項３３に記載の発明は
傘（１）の石突き（４）の一部に磁石部（１１a）を設けたことを
特徴とする自立する傘である。
これにより保持部に磁石部を備えた傘保持具の保持部に磁石部を備えた傘の石突きを
挿着した場合、保持部の磁石部と石突きの磁石部の引力により吸着することで
傘を持ち上げたときに傘の石突きから、傘保持具が外れ落ちるのを防止でき、
また、引っ張ることで簡単に傘と傘保持具を外すことができる
【００３６】
請求項３４に記載の発明は
傘（１）の石突き（４）の一部にネジ部（１３a）を設けたことを
特徴とする自立する傘である。
これにより保持部にネジ部を備えた傘保持具の保持部にネジ部を備えた傘の石突きを
挿着した場合、保持部のネジ部と石突きのネジ部を回しはめることで傘を持ち上げた
ときに傘の石突きから、傘保持具が外れ落ちてしまうのを防止することができる。
又、外す方向にネジ部を回すことで簡単に傘と傘保持具を外すことができる
【００３７】
請求項３５に記載の発明は
請求項１〜３２のいずれかに記載の自立する傘において
傘（１）の石突き（４）の一部に磁石部（１１a）を更に備えたことを
特徴とする自立する傘である。
これにより保持部に磁石部を備えた傘保持具の保持部に磁石部を備えた傘の石突きを
挿着した場合、保持部の磁石部と石突きの磁石部の引力により吸着することで
傘を持ち上げたときに傘の石突きから、傘保持具が外れ落ちるのを防止でき、
また、引っ張ることで簡単に傘と傘保持具を外すことができる
【００３８】
請求項３６に記載の発明は
請求項１〜３２のいずれかに記載の自立する傘において
傘（１）の石突き（４）の一部にネジ部（１３a）を更に備えたことを
特徴とする自立する傘である。
これにより保持部にネジ部を備えた傘保持具の保持部にネジ部を備えた傘の石突きを
挿着した場合、保持部のネジ部と石突きのネジ部を回しはめることで傘を
持ち上げたときに傘の石突きから、傘保持具が外れ落ちてしまうのを防止
することができる、又は外す方向にネジ部を回すことで
簡単に傘と傘保持具を外すことができる
【００３９】
請求項３７に記載の発明は
請求項１〜３２のいずれかに記載の自立する傘において
傘（１）の石突き（４）の一部に凹凸部（１２a）を更に備えたことを
特徴とする自立する傘である。
これにより保持部に傘の石突きの凹凸部と係合する凹凸部を備えた傘保持具の
保持部に、凹凸部を備えた傘の石突きを挿着した場合、保持部の凹凸部と石突きの
凹凸部を押しはめることで傘を持ち上げたときに傘の石突きから、傘保持具が
外れ落ちてしまうのを防止することができる、又は引っ張ることで
簡単に傘と傘保持具を外すことができる
【００４０】
請求項３８に記載の発明は
請求項３５に記載の自立する傘において
傘（１）の石突き（４）の一部にネジ部（１３a）を更に備えたことを
特徴とする自立する傘である。
これにより保持部にネジ部を備えた傘保持具の保持部にネジ部を備えた傘の石突きを
挿着した場合、保持部のネジ部と石突きのネジ部を回しはめることで傘を持ち上げた
ときに傘の石突きから、傘保持具が外れ落ちてしまうのを防止することができる。
又、外す方向にネジ部を回すことで簡単に傘と傘保持具を外すことができる
【００４１】
請求項３９に記載の発明は
請求項３６と請求項３８のいずれかに記載の自立する傘において
傘（１）の石突き（４）の一部に凹凸部（１２a）を更に備えたことを
特徴とする自立する傘である。
これにより保持部に傘の石突きの凹凸部と係合する凹凸部を備えた傘保持具の
保持部に、凹凸部を備えた傘の石突きを挿着した場合、保持部の凹凸部と石突きの
凹凸部を押しはめることで傘を持ち上げたときに傘の石突きから、傘保持具が外れ
落ちてしまうのを防止することができる、又は引っ張ることで
簡単に傘と傘保持具を外すことができる
【００４２】
請求項４０に記載の発明は  
傘（１）の石突き（４）の先端に、底面を分割する縦の溝（９）を備えた
支柱を設けたことを特徴とする自立する傘である。
これにより傘の石突きの先端に、底面を分割する縦の溝を備えた支柱を、
支え柱を備えた傘保持具の保持部に挿着することで傘の支柱が保持され
倒れることなく傘を立たせておくことができる。
また傘の石突きの先端に設けた支柱の底面を分割する縦の溝を設けるだけで
傘の石突きに設けた支柱の底面の大きさを問わず、支え柱を備えた
傘保持具の保持部に挿着することができ、傘の石突きに設けた支柱の底面の大きさを
問わず、傘の支柱が保持され倒れることなく傘を立たせておくことができる。
【００４３】
請求項４１に記載の発明は  
傘（１）の石突き（４）の先端に設けた支柱（８）に縦の穴（１０）を備えた
ことを特徴とする自立する傘である。
これにより傘の石突きの先端に縦の穴を設けた支柱に、
支え柱を備えた傘保持具の保持部を挿着することで傘の支柱が
保持され倒れることなく傘を立たせておくことができる。
【００４４】
請求項４２に記載の発明は  
傘（１）の石突き（４）の先端に支柱（８）を設け、前記支柱（８）の底面を
十の字状に分割する縦の溝（９a）を更に備えたことを特徴とする自立する傘
である。
これにより傘の石突きの先端に、底面を十の字状に分割する縦の溝を備えた支柱を、
断面が十の字状の支え柱を備えた傘保持具の保持部に挿着することで傘の支柱が
保持され倒れることなく傘を立たせておくことができる。
また傘の石突きの先端に設けた支柱の底面を十の字状に分割する縦の溝を設けるだけで
傘の石突きに設けた支柱の底面の大きさを問わず、断面が十の字状の支え柱を備えた
傘保持具の保持部に挿着することができ、傘の石突きに設けた支柱の底面の大きさを
問わず、傘の支柱が保持され倒れることなく傘を立たせておくことができる。
【００４５】
請求項４３に記載の発明は
傘（１）の石突き（４）の先端に支柱（８）を設け、前記支柱（８）に
十の字状の縦の穴（１０a）を更に備えたことを特徴とする自立する傘である。
これにより傘の石突きの先端に十の字状の縦の穴を設けた支柱に、
十の字状の支え柱を備えた傘保持具の保持部を挿着することで傘の支柱が
保持され倒れることなく傘を立たせておくことができる。
【００４６】
請求項４４に記載の発明は
傘（１）の石突き（４）の先端に複数の縦の溝を周設した支柱（９i）を設けた
ことを特徴とする自立する傘である。
これにより傘の石突きの先端に設けた複数の縦の溝を周設した支柱に、支柱の縦の溝と
係合する支え柱を備えた保持部を設けた傘保持具の保持部に傘の支柱を挿着することで
傘の支柱が保持され倒れることなく傘を立たせておくことができる
【００４７】
請求項４５に記載の発明は
底面をＹの字状に分割する縦の溝（９ｂ）を備えた支柱（８）を傘（１）の
石突き（４）の先端に備えたことを特徴とする自立する傘である。
これにより傘の石突きの先端に、底面をYの字状に分割する縦の溝を備えた支柱を、
断面がYの字状の支え柱を備えた傘保持具の保持部に挿着することで傘の支柱が
保持され倒れることなく傘を立たせておくことができる。
また傘の石突きの先端に設けた支柱の底面をYの字状に分割する縦の溝を設けるだけで
傘の石突きに設けた支柱の底面の大きさを問わず、断面がYの字状の支え柱を備えた
傘保持具の保持部に挿着することができ、傘の石突きに設けた支柱の底面の大きさを
問わず、傘の支柱が保持され倒れることなく傘を立たせておくことができる。
【００４８】
請求項４６に記載の発明は
傘（１）の石突き（４）の先端に支柱（８）を設け、前記支柱（８）に
Ｙの字状の縦の穴（１０ｂ）を更に備えたことを特徴とする自立する傘である。
これにより傘の石突きの先端にYの字状の縦の穴を設けた支柱に、
Yの字状の支え柱を備えた傘保持具の保持部を挿着することで傘の支柱が
保持され倒れることなく傘を立たせておくことができる。
【００４９】
請求項４７に記載の発明は
底面を放射状に5分割した縦の溝（９ｃ）を備えた支柱（８）を傘（１）の
石突き（４）の先端に設けたことを特徴とする自立する傘である。
これにより傘の石突きの先端に、底面を放射状に5分割する縦の溝を備えた支柱を、
断面が5本の放射状の支え柱を備えた傘保持具の保持部に挿着することで傘の支柱が
保持され倒れることなく傘を立たせておくことができる。
また傘の石突きの先端に設けた支柱の底面を放射状に５分割する縦の溝を設けるだけで
傘の石突きに設けた支柱の底面の大きさを問わず、断面が5本の放射状の支え柱を
備えた傘保持具の保持部に挿着することができ、傘の石突きに設けた支柱の底面の
大きさを問わず、傘の支柱が保持され倒れることなく傘を立たせておくことができる。
【００５０】
請求項４８に記載の発明は
傘（１）の石突き（４）の先端に支柱（８）を設け、前記支柱（８）に
略星型の縦の穴（１０ｃ）を更に備えたことを特徴とする自立する傘である。
これにより傘の石突きの先端に略星型の縦の穴を設けた支柱に、
略星型の支え柱を備えた傘保持具の保持部を挿着することで傘の支柱が
保持され倒れることなく傘を立たせておくことができる。
【００５１】
請求項４９に記載の発明は
底面を放射状に６分割した縦の溝（９ｄ）を備えた支柱（８）を傘（１）の
石突き（４）の先端に設けたことを特徴とする自立する傘である。
これにより傘の石突きの先端に、底面を放射状に６分割する縦の溝を備えた支柱を、
断面が６本の放射状の支え柱を備えた傘保持具の保持部に挿着することで傘の支柱が
保持され倒れることなく傘を立たせておくことができる。
また傘の石突きの先端に設けた支柱の底面を放射状に６分割する縦の溝を設けるだけで
傘の石突きに設けた支柱の底面の大きさを問わず、断面が６本の放射状の支え柱を備えた
傘保持具の保持部に挿着することができ、傘の石突きに設けた支柱の底面の大きさを
問わず、傘の支柱が保持され倒れることなく傘を立たせておくことができる。
【００５２】
請求項５０に記載の発明は
傘（１）の石突き（４）の先端に支柱（８）を設け、前記支柱（８）に
アスタリスク型の縦の穴（１０ｄ）を更に備えたことを特徴とする自立する傘である。
これにより傘の石突きの先端にアスタリスク型の縦の穴を設けた支柱に、
アスタリスク型の支え柱を備えた傘保持具の保持部を挿着することで傘の支柱が
保持され倒れることなく傘を立たせておくことができる。
【００５３】
請求項５１に記載の発明は
傘（１）の石突き（４）の先端に支柱（８）を設け、前記支柱（８）の底面を
Ｓの字状に分割する縦の溝（９e）を更に備えたことを特徴とする自立する傘である。
これにより傘の石突きの先端に、底面をSの字状に分割する縦の溝を備えた支柱を、
断面がSの字状の支え柱を備えた傘保持具の保持部に挿着することで傘の支柱が
保持され倒れることなく傘を立たせておくことができる。
また傘の石突きの先端に設けた支柱の底面を連続したSの字状に分割する縦の溝を
設けるだけで傘の石突きに設けた支柱の底面の大きさを問わず、断面が連続した
Sの字状の支え柱を備えた傘保持具の保持部に挿着することができ、傘の石突きに
設けた支柱の底面の大きさを問わず、傘の支柱が保持され倒れることなく
傘を立たせておくことができる。
【００５４】
請求項５２に記載の発明は
傘（１）の石突き（４）の先端に支柱（８）を設け、前記支柱（８）に
Ｓの字状の縦の穴（１０e）を更に備えたことを特徴とする自立する傘
である。
これにより傘の石突きの先端にSの字状の縦の穴を設けた支柱に、
Sの字状の支え柱を備えた傘保持具の保持部を挿着することで傘の支柱が
保持され倒れることなく傘を立たせておくことができる。
【００５５】
請求項５３に記載の発明は
底面をＨの字状に分割する縦の溝（９ｆ）を備えた支柱（８）を傘（１）の
石突き（４）の先端に設けたことを特徴とする自立する傘である。
これにより傘の石突きの先端に、底面をHの字状に分割する縦の溝を備えた支柱を、
断面がHの字状の支え柱を備えた傘保持具の保持部に挿着することで傘の支柱が
保持され倒れることなく傘を立たせておくことができる。
【００５６】
請求項５４に記載の発明は
傘（１）の石突き（４）の先端に支柱（８）を設け、前記支柱（８）に
Hの字状の縦の穴（１０ｆ）を更に備えたことを特徴とする自立する傘である。
これにより傘の石突きの先端にHの字状の縦の穴を設けた支柱に、
Hの字状の支え柱を備えた傘保持具の保持部を挿着することで傘の支柱が
保持され倒れることなく傘を立たせておくことができる。
【００５７】
請求項５５に記載の発明は
底面を放射状に分割する縦の溝（９ｇ）を備えた支柱（８）を傘（１）の
石突き（４）の先端に設けたことを特徴とする自立する傘である。これにより
傘の石突きの先端に、底面を放射状に分割する縦の溝を備えた支柱を、断面が
放射状の支え柱を備えた傘保持具の保持部に挿着することで傘の支柱が保持され
倒れることなく傘を立たせておくことができる。
また傘の石突きの先端に設けた支柱の底面を放射状に分割する縦の溝を
設けるだけで傘の石突きに設けた支柱の底面の大きさを問わず、断面が
放射状の支え柱を備えた傘保持具の保持部に挿着することができ、傘の石突きに
設けた支柱の底面の大きさを問わず、傘の支柱が保持され倒れることなく
傘を立たせておくことができる。
【００５８】
請求項５６に記載の発明は
傘（１）の石突き（４）の先端に支柱（８）を設け、前記支柱（８）に
放射状の縦の穴（１０ｇ）を更に備えたことを特徴とする自立する傘である。
これにより傘の石突きの先端に放射状の縦の穴を設けた支柱に、
放射状の支え柱を備えた傘保持具の保持部を挿着することで傘の支柱が
保持され倒れることなく傘を立たせておくことができる。
【００５９】
請求項５７に記載の発明は
底面をＶの字状に分割する縦の溝（９ｈ）を備えた支柱（８）を傘（１）の
石突き（４）の先端に設けたことを特徴とする自立する傘である。
これにより傘の石突きの先端に、底面をVの字状に分割する縦の溝を備えた支柱を、
断面がVの字状の支え柱を備えた傘保持具の保持部に挿着することで傘の支柱が
保持され倒れることなく傘を立たせておくことができる。
また傘の石突きの先端に設けた支柱の底面をVの字状に分割する縦の溝を設けるだけで
傘の石突きに設けた支柱の底面の大きさを問わず、断面がVの字状の支え柱を備えた
傘保持具の保持部に挿着することができ、傘の石突きに設けた支柱の底面の大きさを
問わず、傘の支柱が保持され倒れることなく傘を立たせておくことができる。
【００６０】
請求項５８に記載の発明は
傘（１）の石突き（４）の先端に支柱（８）を設け、前記支柱（８）に
Ｖの字状の縦の穴（１０ｈ）を更に備えたことを特徴とする自立する傘である。
これにより傘の石突きの先端にVの字状の縦の穴を設けた支柱に、
Vの字状の支え柱を備えた傘保持具の保持部を挿着することで傘の支柱が
保持され倒れることなく傘を立たせておくことができる。
【００６１】
請求項５９に記載の発明は
断面が十の字状の支柱（１０i）を傘（１）の石突き（４）の先端に設けた
ことを特徴とする自立する傘である。
これにより傘の石突きの先端に設けた断面が十の字状の支柱を、保持部に十の字状の
溝を備えた傘保持具の保持部に挿着することで傘の支柱が保持され倒れることなく
傘を立たせておくことができる。また傘の支柱の断面を十の字状の形状にすることで
傘の石突きに設けた支柱の底面の大きさを問わず、十の字状の溝を備えた傘保持具の
保持部に挿着することができ、傘の石突きに設けた支柱の底面の大きさを問わず、
傘の支柱が保持され倒れることなく傘を立たせておくことができる。
【００６２】
請求項６０に記載の発明は
断面がＹの字状の支柱（１０j）を傘（１）の石突き（４）の先端に設けた
ことを特徴とする自立する傘である。
これにより傘の石突きの先端に設けた断面がYの字状の支柱を、保持部にYの字状の
溝を備えた傘保持具の保持部に挿着することで傘の支柱が保持され倒れることなく
傘を立たせておくことができる。また傘の支柱の断面をYの字状の形状にすることで
傘の石突きに設けた支柱の底面の大きさを問わず、Yの字状の溝を備えた傘保持具の
保持部に挿着することができ、傘の石突きに設けた支柱の底面の大きさを問わず、
傘の支柱が保持され倒れることなく傘を立たせておくことができる。
【００６３】
請求項６１に記載の発明は
断面が略星型の支柱（１０ｋ）を傘（１）の石突き（４）の先端に設けた
ことを特徴とする自立する傘である。
これにより傘の石突きの先端に設けた断面が略星型の支柱を、保持部に略星型の溝を
備えた傘保持具の保持部に挿着することで傘の支柱が保持され倒れることなく
傘を立たせておくことができる。
【００６４】
請求項６２に記載の発明は
断面がＳの字状の支柱（１０ｌ）を傘（１）の石突き（４）の先端に設けた
ことを特徴とする自立する傘である。
これにより傘の石突きの先端に設けた断面がSの字状の支柱を、保持部にSの字状の
溝を備えた傘保持具の保持部に挿着することで傘の支柱が保持され倒れることなく
傘を立たせておくことができる。また傘の支柱の断面を連続したSの字状の形状に
することで傘の石突きに設けた支柱の底面の大きさを問わず、連続したSの字状の溝を
備えた傘保持具の保持部に挿着することができ、傘の石突きに設けた支柱の底面の
大きさを問わず、傘の支柱が保持され倒れることなく傘を立たせておくことができる。
【００６５】
請求項６３に記載の発明は
断面がＨの字状の支柱（１０ｍ）を傘（１）の石突き（４）の先端に設けた
ことを特徴とする自立する傘である。
これにより傘の石突きの先端に設けた断面がHの字状の支柱を、保持部にHの字状の
溝を備えた傘保持具の保持部に挿着することで傘の支柱が保持され倒れることなく
傘を立たせておくことができる。
【００６６】
請求項６４に記載の発明は
断面が放射状の支柱（１０ｎ）を傘（１）の石突き（４）の先端に設けた
ことを特徴とする自立する傘である。
これにより傘の石突きの先端に設けた断面が放射状の支柱を、保持部に放射状の溝を
備えた傘保持具の保持部に挿着することで傘の支柱が保持され倒れることなく傘を
立たせておくことができる。また傘の支柱の断面を放射状の形状にすることで傘の
石突きに設けた支柱の底面の大きさを問わず、放射状の溝を備えた傘保持具の保持部に
挿着することができ、傘の石突きに設けた支柱の底面の大きさを問わず、
傘の支柱が保持され倒れることなく傘を立たせておくことができる。
【００６７】
請求項６５に記載の発明は
断面がＶの字状の支柱（１０o）を傘（１）の石突き（４）の先端に設けた
ことを特徴とする自立する傘である。
これにより傘の石突きの先端に設けた断面がVの字状の支柱を、保持部にVの字状の
溝を備えた傘保持具の保持部に挿着することで傘の支柱が保持され倒れることなく傘を
立たせておくことができる。また傘の支柱の断面をVの字状の形状にすることで
傘の石突きに設けた支柱の底面の大きさを問わず、Vの字状の溝を備えた傘保持具の
保持部に挿着することができ、傘の石突きに設けた支柱の底面の大きさを問わず、
傘の支柱が保持され倒れることなく傘を立たせておくことができる。
【００６８】
請求項６６に記載の発明は
傘（１）の石突き（４）の先端に設けた支柱（８）の一部に
磁石（１１ｂ）を備えたことを特徴とする自立する傘である。
これにより保持部に磁石部を備えた傘保持具の保持部に磁石部を備えた支柱を
挿着した場合、保持部の磁石部と支柱の磁石部の引力により吸着することで
傘を持ち上げたときに傘の石突きの先端に設けた支柱から、傘保持具が外れ落ちるのを
防止でき、また、引っ張ることで簡単に傘と傘保持具を外すことができる
【００６９】
請求項６７に記載の発明は
傘（１）の石突き（４）の先端に設けた支柱（８）の一部にネジ部（１３b）を
備えたことを特徴とする  自立する傘である。
これにより保持部にネジ部を備えた傘保持具の保持部にネジ部を備えた傘の支柱を
挿着した場合、保持部のネジ部と支柱のネジ部を回しはめることで傘を持ち上げた
ときに傘の支柱から、傘保持具が外れ落ちてしまうのを防止することができる、
又は外す方向にネジ部を回すことで簡単に傘と傘保持具を外すことができる
【００７０】
請求項６８に記載の発明は
請求項４０〜６７のいずれかに記載の自立する傘において
傘（１）の石突き（４）の先端に設けた支柱（８）の一部に磁石（１１ｂ）を
更に備えたことを特徴とする自立する傘である。
これにより保持部に磁石部を備えた傘保持具の保持部に磁石部を備えた支柱を
挿着した場合、保持部の磁石部と支柱の磁石部の引力により吸着することで
傘を持ち上げたときに傘の石突きの先端に設けた支柱から、傘保持具が外れ落ちるのを
防止でき、また、引っ張ることで簡単に傘と傘保持具を外すことができる
【００７１】
請求項６９に記載の発明は
請求項４０〜６８のいずれかに記載の自立する傘において
傘（１）の石突き（４）の先端に設けた支柱（８）の一部にネジ部（１３ｂ）を
更に備えたことを特徴とする自立する傘である。
これにより保持部にネジ部を備えた傘保持具の保持部にネジ部を備えた傘の支柱を
挿着した場合、保持部のネジ部と支柱のネジ部を回しはめることで傘を持ち上げた
ときに傘の支柱から、傘保持具が外れ落ちてしまうのを防止することができる、
又、外す方向にネジ部を回すことで簡単に傘と傘保持具を外すことができる
【００７２】
請求項７０に記載の発明は
請求項４０〜６９のいずれかに記載の自立する傘において
傘（１）の石突き（４）の先端に設けた支柱（８）の一部に凹凸部（１２ｂ）を
更に備えたことを特徴とする自立する傘である。
これにより保持部に傘の支柱の凹凸部と係合する凹凸部を備えた傘保持具の保持部に、
凹凸部を備えた傘の支柱を挿着した場合、保持部の凹凸部と支柱の凹凸部を
押しはめることで傘を持ち上げたときに傘の支柱から、傘保持具が外れ落ちて
しまうのを防止することができる、又は引っ張ることで簡単に傘と傘保持具を外す
ことができる
【００７３】
請求項７１に記載の発明は
請求項７０に記載の自立する傘において
傘（１）の石突き（４）の先端に設けた支柱（８）の一部にネジ部（１３ｂ）を
更に備えたことを特徴とする自立する傘である。
これにより保持部にネジ部を備えた傘保持具の保持部にネジ部を備えた傘の支柱を
挿着した場合、保持部のネジ部と支柱のネジ部を回しはめることで、傘を持ち上げた
ときに傘の支柱から、傘保持具が外れ落ちてしまうのを防止することができる、
又、外す方向にネジ部を回すことで簡単に傘と傘保持具を外すことができる
【００７４】
請求項７２に記載の発明は
請求項６９と請求項７１のいずれかに記載の自立する傘において
傘（１）の石突き（４）の先端に設けた支柱（８）の一部に凹凸部（１２ｂ）を
更に備えたことを特徴とする自立する傘である。
これにより保持部に傘の支柱の凹凸部と係合する凹凸部を備えた傘保持具の保持部に、
凹凸部を備えた傘の支柱を挿着した場合、保持部の凹凸部と支柱の凹凸部を押し
はめることで傘を持ち上げたときに傘の支柱から、傘保持具が外れ落ちてしまうのを
防止することができる、又は引っ張ることで簡単に傘と傘保持具を外すことができる
【００７５】
請求項７３に記載の発明は
傘保持具（１４）の一部に傘を支える為の複数の支脚（１６）と
傘の石突きの断面がSの字状の形状（５ｄ）又は石突きの先端に設けた支柱の断面が
Sの字状の形状（１０ｌ）の傘を挿着し保持するための、Ｓの字状の溝（１４a）を
備えた保持部（１５）を傘保持具の一部に設けたことを特徴とする傘保持具である。
これにより傘の石突きの先端に設けた断面がSの字状の支柱を、保持部にSの字状の
溝を備えた傘保持具の保持部に挿着することで傘の支柱が保持され倒れることなく
傘を立たせておくことができる。
【００７６】
請求項７４に記載の発明は
傘保持具（１４）の一部に傘を支える為の複数の支脚（１６）と
傘の石突きの断面がSの字状の形状（５ｄ）又は石突きの先端に設けた支柱の断面が
Sの字状の形状（１０ｌ）の傘を挿着し保持するための、Ｓの字状の穴（１８a）を
備えた保持部（１５）を傘保持具の一部に設けたことを特徴とする傘保持具である。
これにより傘の石突きの先端に設けた断面がSの字状の支柱を、保持部にSの字状の
穴を備えた傘保持具の保持部に挿着することで傘の支柱が保持され倒れることなく
傘を立たせておくことができる。
【００７７】
請求項７５に記載の発明は
傘保持具（１４）の一部に傘を支える為の複数の支脚（１６）と
傘の石突きの断面がHの字状の形状（５e）又は石突きの先端に設けた支柱の断面が
Hの字状の形状（１０ｍ）の傘を挿着し保持するための、Ｈの字状の溝（１４ｂ）を
備えた保持部（１５）を傘保持具の一部に設けたことを特徴とする傘保持具である。
これにより傘の石突きの先端に設けた断面がHの字状の支柱を、保持部にHの字状の
溝を備えた傘保持具の保持部に挿着することで傘の支柱が保持され倒れることなく
傘を立たせておくことができる。
【００７８】
請求項７６に記載の発明は
傘保持具（１４）の一部に傘を支える為の複数の支脚（１６）と
傘の石突きの断面がHの字状の形状（５e）又は石突きの先端に設けた支柱の断面が
Hの字状の形状（１０ｍ）の傘を挿着し保持するための、Ｈの字状の穴（１８ｂ）を
備えた保持部（１５）を傘保持具の一部に設けたことを特徴とする傘保持具である。
これにより傘の石突きの先端に設けた断面がHの字状の支柱を、保持部にHの字状の
穴を備えた傘保持具の保持部に挿着することで傘の支柱が保持され倒れることなく
傘を立たせておくことができる。
【００７９】
請求項７７に記載の発明は
傘保持具（１４）の一部に傘を支える為の複数の支脚（１６）と
傘の石突きの断面がVの字状の形状（５ｇ）又は石突きの先端に設けた支柱の断面が
Vの字状の形状（１０o）の傘を挿着し保持するための、Ｖの字状の溝（１４ｃ）を
備えた保持部（１５）を傘保持具の一部に設けたことを特徴とする傘保持具である。
これにより傘の石突きの先端に設けた断面がVの字状の支柱を、保持部にVの字状の
溝を備えた傘保持具の保持部に挿着することで傘の支柱が保持され倒れることなく
傘を立たせておくことができる。また傘の支柱の断面がVの字状の形状であれば
傘の石突きに設けた支柱の底面の大きさを問わず、Vの字状の溝を備えた傘保持具の
保持部に挿着することができ、傘の石突きに設けた支柱の底面の大きさを問わず、
傘の支柱が保持され倒れることなく傘を立たせておくことができる。
【００８０】
請求項７８に記載の発明は
傘保持具（１４）の一部に傘を支える為の複数の支脚（１６）と
傘の石突きの断面がVの字状の形状（５ｇ）又は石突きの先端に設けた支柱の断面が
Vの字状の形状（１０o）の傘を挿着し保持するための、Ｖの字状の穴（１８ｃ）を
備えた保持部（１５）を傘保持具の一部に設けたことを特徴とする傘保持具である。
これにより傘の石突きの先端に設けた断面がVの字状の支柱を、保持部にVの字状の
穴を備えた傘保持具の保持部に挿着することで傘の支柱が保持され倒れることなく
傘を立たせておくことができる。
【００８１】
請求項７９に記載の発明は
傘保持具（１４）の一部に傘を支える為の複数の支脚（１６）と
傘の石突きの断面が十の字状の形状（５a）又は石突きの先端に設けた支柱の断面が
十の字状の形状（１０i）の傘を挿着し保持するための、十の字状の溝（１４ｄ）を
備えた保持部（１５）を傘保持具の一部に設けたことを特徴とする傘保持具である。
これにより傘の石突きの先端に設けた断面が十の字状の支柱を、保持部に十の字状の
溝を備えた傘保持具の保持部に挿着することで傘の支柱が保持され倒れることなく
傘を立たせておくことができる。また傘の支柱の断面が十の字状の形状であれば
傘の石突きに設けた支柱の底面の大きさを問わず、十の字状の溝を備えた傘保持具の
保持部に挿着することができ、傘の石突きに設けた支柱の底面の大きさを問わず、
傘の支柱が保持され倒れることなく傘を立たせておくことができる。
【００８２】
請求項８０に記載の発明は
傘保持具（１４）の一部に傘を支える為の複数の支脚（１６）と
傘の石突きの断面が十の字状の形状（５a）又は石突きの先端に設けた支柱の断面が
十の字状の形状（１０i）の傘を挿着し保持するための十の字状の穴（１８d）を
備えた保持部（１５）を傘保持具の一部に設けたことを特徴とする傘保持具である。
これにより傘の石突きの先端に設けた断面が十の字状の支柱を、保持部に十の字状の
穴を備えた傘保持具の保持部に挿着することで傘の支柱が保持され倒れることなく
傘を立たせておくことができる。
【００８３】
請求項８１に記載の発明は
傘保持具（１４）の一部に傘を支える為の複数の支脚（１６）と
傘保持具（１４）の一部に傘の石突き又は支柱を挿着し保持するための、複数の
縦の溝（１４e）を保持部（１５）に周設したことを特徴とする傘保持具である。
これにより傘保持具の保持部に周設した縦の溝に係合する、傘の石突きの先端に
設けた複数支柱を傘保持具の保持部に挿着することで傘保持具の保持部により
傘の支柱が保持され倒れることなく傘を立たせておくことができる。
【００８４】
請求項８２に記載の発明は
傘保持具（１４）の一部に傘を支える為の複数の支脚（１６）と
傘の石突きの断面がYの字状の形状（５ｂ）又は石突きの先端に設けた支柱の断面が
Yの字状の形状（１０ｊ）の傘を挿着し保持するためのＹの字状の溝（１４ｆ）を
備えた保持部（１５）を傘保持具の一部に設けたことを特徴とする傘保持具である。
これにより傘の石突きの先端に設けた断面がYの字状の支柱を、保持部にYの字状の
溝を備えた傘保持具の保持部に挿着することで傘の支柱が保持され倒れることなく
傘を立たせておくことができる。また傘の支柱の断面がYの字状の形状であれば
傘の石突きに設けた支柱の底面の大きさを問わず、Yの字状の溝を備えた傘保持具の
保持部に挿着することができ、傘の石突きに設けた支柱の底面の大きさを問わず、
傘の支柱が保持され倒れることなく傘を立たせておくことができる。
【００８５】
請求項８３に記載の発明は
傘保持具（１４）の一部に傘を支える為の複数の支脚（１６）と
傘の石突きの断面がYの字状の形状（５ｂ）又は石突きの先端に設けた支柱の断面が
Yの字状の形状（１０ｊ）の傘を挿着し保持するためのＹの字状の穴（１８ｆ）を
備えた保持部（１５）を傘保持具の一部に設けたことを特徴とする傘保持具である。
これにより傘の石突きの先端に設けた断面がYの字状の支柱を、保持部にYの字状の
穴を備えた傘保持具の保持部に挿着することで傘の支柱が保持され倒れることなく
傘を立たせておくことができる。
【００８６】
請求項８４に記載の発明は
傘保持具（１４）の一部に傘を支える為の複数の支脚（１６）と
傘の石突きの断面が略星型の形状（５ｃ）又は石突きの先端に設けた支柱の断面が
略星型の形状（１０ｋ）の傘を挿着し保持するための略星型の溝（１４ｇ）を備えた
保持部（１５）を傘保持具の一部に設けたことを特徴とする傘保持具である。
これにより傘の石突きの先端に設けた断面が略星型の支柱を、保持部に略星型の溝を
備えた傘保持具の保持部に挿着することで傘の支柱が保持され倒れることなく
傘を立たせておくことができる。
【００８７】
請求項８５に記載の発明は
傘保持具（１４）の一部に傘を支える為の複数の支脚（１６）と
傘の石突きの断面が略星形の形状（５ｃ）又は石突きの先端に設けた支柱の断面が
略星型の形状（１０ｋ）の傘を挿着し保持するための略星型の穴（１８ｇ）を備えた
保持部（１５）を傘保持具の一部に設けたことを特徴とする傘保持具である。
これにより傘の石突きの先端に設けた断面が略星型の支柱を、保持部に略星型の穴を
備えた傘保持具の保持部に挿着することで傘の支柱が保持され倒れることなく傘を
立たせておくことができる。
【００８８】
請求項８６に記載の発明は
傘保持具（１４）の一部に傘を支える為の複数の支脚（１６）と
傘の石突きの断面が放射状の形状（５ｆ）又は石突きの先端に設けた支柱の断面が
放射状の形状（１０ｎ）の傘を挿着し保持するための放射状の溝（１４ｈ）を備えた
保持部（１５）を傘保持具の一部に設けたことを特徴とする傘保持具である。
これにより傘の石突きの先端に設けた断面が放射状の支柱を、保持部に放射状の溝を
備えた傘保持具の保持部に挿着することで傘の支柱が保持され倒れることなく傘を
立たせておくことができる。また傘の支柱の断面が放射状の形状であれば
傘の石突きに設けた支柱の底面の大きさを問わず、放射状の溝を備えた傘保持具の
保持部に挿着することができ、傘の石突きに設けた支柱の底面の大きさを問わず、
傘の支柱が保持され倒れることなく傘を立たせておくことができる。
【００８９】
請求項８７に記載の発明は
傘保持具（１４）の一部に傘を支える為の複数の支脚（１６）と
傘の石突きの断面が放射状の形状（５ｆ）又は石突きの先端に設けた支柱の断面が
放射状の形状（１０ｎ）の傘を挿着し保持するための放射状の穴（１８ｈ）を備えた
保持部（１５）を傘保持具の一部に設けたことを特徴とする傘保持具である。
これにより傘の石突きの先端に設けた断面が放射状の支柱を、保持部に放射状の穴を
備えた傘保持具の保持部に挿着することで傘の支柱が保持され倒れることなく
傘を立たせておくことができる。
【００９０】
請求項８８に記載の発明は
傘保持具（１４）の一部に傘を支える為の複数の支脚（１６）と
石突きの底面を十の字状に分割する縦の溝（６a）を設けた傘の石突き
又は傘の石突きの先端に設けた支柱の底面を十の字状に分割する縦の溝（９a）を
設けた傘の支柱を挿着し保持するために、断面が十の字状の支え柱（１７a）を備えた
保持部（１５）を傘保持具の一部に設けたことを特徴とする傘保持具である。
これにより傘の石突きの先端に設けた支柱の底面を十の字状に分割する縦の溝に、
保持部に断面が十の字状の支え柱を備えた傘保持具の保持部に傘の支柱を挿着する
ことで、傘保持具に傘の支柱が保持され倒れることなく傘を立たせておくことが
できる。また石突きの先端に設けた支柱の底面を十の字状に分割する縦の溝を備えた
傘であれば傘の石突きに設けた支柱の底面の大きさを問わず、十の字状の支え柱を
備えた傘保持具の保持部に挿着することができ、傘の石突きに設けた支柱の底面の
大きさを問わず、傘の支柱が保持され倒れることなく傘を立たせておくことができる。
【００９１】
請求項８９に記載の発明は
傘保持具（１４）の一部に傘を支える為の複数の支脚（１６）と
石突きの底面をＹの字状に分割する縦の溝（６ｂ）を設けた傘の石突き
又は傘の石突きの先端に設けた支柱の底面をYの字状に分割する縦の溝（９ｂ）を
設けた傘の支柱を挿着し保持するために、断面がＹの字状の支え柱（１７ｂ）を備えた
保持部（１５）を傘保持具の一部に設けたことを特徴とする傘保持具である。
これにより傘の石突きの先端に設けた支柱の底面をYの字状に分割する縦の溝に、
保持部に断面がYの字状の支え柱を備えた傘保持具の保持部に傘の支柱を挿着する
ことで、傘保持具に傘の支柱が保持され倒れることなく傘を立たせておくことが
できる。また石突きの先端に設けた支柱の底面をYの字状に分割する縦の
溝を備えた傘であれば傘の石突きに設けた支柱の底面の大きさを問わず、Yの字状の
支え柱を備えた傘保持具の保持部に挿着することができ、傘の石突きに設けた
支柱の底面の大きさを問わず、傘の支柱が保持され倒れることなく傘を立たせて
おくことができる。
【００９２】
請求項９０に記載の発明は
傘保持具（１４）の一部に傘を支える為の複数の支脚（１６）と
石突きの底面を放射状に5分割する縦の溝（６ｃ）を設けた傘の石突き
又は傘の石突きの先端に設けた支柱の底面を放射状に5分割する縦の溝（９ｃ）を
設けた傘の支柱を挿着し保持するために、断面が5本の放射状の支え柱（１７ｃ）を
備えた保持部（１５）を傘保持具の一部に設けたことを特徴とする傘保持具である。
これにより傘の石突きの先端に設けた支柱の底面を放射状に５分割する縦の溝に、
保持部に断面が5本の放射状の支え柱を備えた傘保持具の保持部に傘の支柱を挿着する
ことで、傘保持具に傘の支柱が保持され倒れることなく傘を立たせておくことが
できる。また石突きの先端に設けた支柱の底面を放射状に５分割する縦の溝を備えた
傘であれば傘の石突きに設けた支柱の底面の大きさを問わず、5本の放射状の支え
柱を備えた傘保持具の保持部に挿着することができ、傘の石突きに設けた支柱の底面の
大きさを問わず、傘の支柱が保持され倒れることなく傘を立たせておくことができる。
【００９３】
請求項９１に記載の発明は
傘保持具（１４）の一部に傘を支える為の複数の支脚（１６）と
石突きの底面を放射状に6分割する縦の溝（６ｄ）を設けた傘の石突き
又は傘の石突きの先端に設けた支柱の底面を放射状に６分割する縦の溝（９ｄ）を
設けた傘の支柱を挿着し保持するために、断面が６本の放射状の支え柱（１７ｄ）を
備えた保持部（１５）を傘保持具の一部に設けたことを特徴とする傘保持具である。
これにより傘の石突きの先端に設けた支柱の底面を放射状に６分割する縦の溝に、
保持部に断面が６本の放射状の支え柱を備えた傘保持具の保持部に傘の支柱を挿着する
ことで、傘保持具に傘の支柱が保持され倒れることなく傘を立たせておくことが
できる。また石突きの先端に設けた支柱の底面を放射状に６分割する縦の溝を備えた
傘であれば傘の石突きに設けた支柱の底面の大きさを問わず、６本の放射状の支え柱を
備えた傘保持具の保持部に挿着することができ、傘の石突きに設けた支柱の底面の
大きさを問わず、傘の支柱が保持され倒れることなく傘を立たせておくことができる。
【００９４】
請求項９２に記載の発明は
傘保持具（１４）の一部に傘を支える為の複数の支脚（１６）と
石突きの底面を放射状に分割する縦の溝（６ｇ）を設けた傘の石突き
又は傘の石突きの先端に設けた支柱の底面を放射状に分割する縦の溝（９ｇ）を
設けた傘の支柱を挿着し保持するために、断面が放射状の支え柱（１７e）を備えた
保持部（１５）を傘保持具の一部に設けたことを特徴とする傘保持具である。
これにより傘の石突きの先端に設けた支柱の底面を放射状に分割する縦の溝に、
保持部に断面が放射状の支え柱を備えた傘保持具の保持部に傘の支柱を挿着する
ことで、傘保持具に傘の支柱が保持され倒れることなく傘を立たせておくことが
できる。また石突きの先端に設けた支柱の底面を放射状に分割する縦の溝を備えた傘で
あれば傘の石突きに設けた支柱の底面の大きさを問わず、放射状の支え柱を備えた
傘保持具の保持部に挿着することができ、傘の石突きに設けた支柱の底面の大きさを
問わず、傘の支柱が保持され倒れることなく傘を立たせておくことができる。
【００９５】
請求項９３に記載の発明は
傘保持具（１４）の一部に傘を支える為の複数の支脚（１６）と
石突きの底面をSの字状に分割する縦の溝（６e）を設けた傘の石突き
又は傘の石突きの先端に設けた支柱の底面をＳの字状に分割する縦の溝（９e）を
設けた傘の支柱を挿着し保持するために、断面がＳの字状の支え柱（１７ｆ）を
備えた保持部（１５）を傘保持具の一部に設けたことを特徴とする傘保持具である。
これにより傘の石突きの先端に設けた支柱の底面をSの字状に分割する縦の溝に、
保持部に断面がSの字状の支え柱を備えた傘保持具の保持部に傘の支柱を挿着する
ことで、傘保持具に傘の支柱が保持され倒れることなく傘を立たせておくことが
できる。
【００９６】
請求項９４に記載の発明は
傘保持具（１４）の一部に傘を支える為の複数の支脚（１６）と
石突きの底面をHの字状に分割する縦の溝（６ｆ）を設けた傘の石突き
又は傘の石突きの先端に設けた支柱の底面をＨの字状に分割する縦の溝（９ｆ）を
設けた傘の支柱を挿着し保持するために、断面がＨの字状の支え柱（１７ｇ）を
備えた保持部（１５）を傘保持具の一部に設けたことを特徴とする傘保持具である。
これにより傘の石突きの先端に設けた支柱の底面をHの字状に分割する縦の溝に、
保持部に断面がHの字状の支え柱を備えた傘保持具の保持部に傘の支柱を挿着すること
で、傘保持具に傘の支柱が保持され倒れることなく傘を立たせておくことができる。
【００９７】
請求項９５に記載の発明は
傘保持具（１４）の一部に傘を支える為の複数の支脚（１６）と
石突きの底面をVの字状に分割する縦の溝（６ｈ）を設けた傘の石突き
又は傘の石突きの先端に設けた支柱の底面をＶの字状に分割する縦の溝（９ｈ）を
設けた傘の支柱を挿着し保持するために、断面がＶの字状の支え柱（１７ｈ）を
備えた保持部（１５）を傘保持具の一部に設けたことを特徴とする傘保持具である。
これにより傘の石突きの先端に設けた支柱の底面をVの字状に分割する縦の溝に、
保持部に断面がVの字状の支え柱を備えた傘保持具の保持部に傘の支柱を挿着する
ことで、傘保持具に傘の支柱が保持され倒れることなく傘を立たせておくことが
できる。また石突きの先端に設けた支柱の底面をVの字状に分割する縦の溝を備えた
傘であれば傘の石突きに設けた支柱の底面の大きさを問わず、Vの字状の支え柱を
備えた傘保持具の保持部に挿着することができ、傘の石突きに設けた支柱の底面の
大きさを問わず、傘の支柱が保持され倒れることなく傘を立たせておくことができる。
【００９８】
請求項９６に記載の発明は
傘保持具の一部に複数の支脚（１６）と傘の石突きを挿着し保持するための
複数の支え柱（１７i）を備えた保持部（１５）を傘保持具の一部に設けたことを
特徴とする傘保持具である。
これにより傘の石突に周設した縦の溝に係合する傘保持具の複数の支え柱を
傘の石突きの縦の溝に挿着することで傘保持具の保持部に傘の石突きが保持され、
挿着した傘を立たせておくことができる。
【００９９】
請求項９７に記載の発明は
傘保持具の一部に複数の支脚（１６）と傘の石突きを挿着し保持するための、
十の字状に配置した複数の支え柱（１７ｊ）を備えた保持部（１５）を
傘保持具の一部に設けたことを特徴とする傘保持具である。
これにより傘の石突きの底面を十の字状に分割する縦の溝に、
傘保持具の保持部に配置した十の字状の複数の支え柱を挿着することで、
傘保持具に傘の石突きが保持され倒れることなく傘を立たせておくことができる。
【０１００】
請求項９８に記載の発明は
傘保持具の一部に複数の支脚（１６）と傘の石突きを挿着し保持するための、
Ｙの字状に配置した複数の支え柱（１７ｋ）を備えた保持部（１５）を傘保持具の
一部に設けたことを特徴とする傘保持具である。
これにより傘の石突きの底面をYの字状に分割する縦の溝に、
傘保持具の保持部に配置したYの字状の複数の支え柱を挿着することで、
傘保持具に傘の石突きが保持され倒れることなく傘を立たせておくことができる。
【０１０１】
請求項９９に記載の発明は
傘保持具の一部に複数の支脚（１６）と傘の石突きを挿着し保持するための、
Ｖの字状に配置した複数の支え柱（１７ｌ）を備えた保持部（１５）を
傘保持具の一部に設けたことを特徴とする傘保持具である。
これにより傘の石突きの底面をVの字状に分割する縦の溝に、
傘保持具の保持部に配置したVの字状の複数の支え柱を挿着することで、
傘保持具に傘の石突きが保持され倒れることなく傘を立たせておくことができる。
【０１０２】
請求項１００に記載の発明は
傘保持具の一部に複数の支脚（１６）と傘の石突きを挿着し保持するための、
放射状に配置した複数の支え柱（１７ｍ）を備えた保持部（１５）を傘保持具の
一部に設けたことを特徴とする傘保持具である。
これにより傘の石突きの底面を放射状に分割する縦の溝を設けた傘の石突きを、
複数の支え柱を放射状に配置した傘保持具の保持部に挿着することで、
傘保持具に傘の石突きが保持され倒れることなく傘を立たせておくことができる。
【０１０３】
請求項１０１に記載の発明は
請求項７３〜１００のいずれかに記載の傘保持具において
保持部（１５）の一部に磁石部（１９）を更に備えたことを特徴とする傘保持具
である。
これにより保持部に磁石部を備えた傘保持具の保持部に磁石部を備えた支柱又は
石突きを挿着した場合、保持部の磁石部と支柱又は石突きの磁石部の引力により吸着
することで傘を持ち上げたときに傘の石突きの先端に設けた支柱から、傘保持具が外れ
落ちるのを防止でき、また、引っ張ることで簡単に傘と傘保持具を外すことができる
【０１０４】
請求項１０２に記載の発明は
請求項７３〜１００のいずれかに記載の傘保持具において
保持部（１５）の一部に凹凸部（２０）を更に備えたことを特徴とする傘保持具
である。
これにより保持部に傘の支柱の凹凸部と係合する凹凸部を備えた傘保持具の保持部に、
凹凸部を備えた傘の支柱を挿着した場合、保持部の凹凸部と支柱の凹凸部を
押しはめることで傘を持ち上げたときに傘の支柱から、傘保持具が外れ落ちて
しまうのを防止することができる、又は引っ張ることで
簡単に傘と傘保持具を外すことができる
【０１０５】
請求項１０３に記載の発明は
請求項１０１に記載の傘保持具において
保持部（１５）の一部に更に凹凸部（２０）を備えたことを特徴とする傘保持具
である。
これにより保持部に傘の支柱の凹凸部と係合する凹凸部を備えた傘保持具の保持部に、
凹凸部を備えた傘の支柱を挿着した場合、保持部の凹凸部と支柱の凹凸部を
押しはめることで傘を持ち上げたときに傘の支柱から、傘保持具が外れ落ちて
しまうのを防止することができる、又は引っ張ることで
簡単に傘と傘保持具を外すことができる
【０１０６】
請求項１０４に記載の発明は
請求項７３〜１０３のいずれかに記載の傘保持具において
傘保持具から保持部（１５）を付け外しできるネジ部（２１）を更に備えた
ことを特徴とする傘保持具である。
これにより保持部にネジ部を備えた傘保持具の保持部にネジ部を備えた傘の支柱を
挿着した場合、保持部のネジ部と支柱のネジ部を回しはめることで、傘を
持ち上げたときに傘の支柱から、傘保持具が外れ落ちてしまうのを防止することが
できる、又は外す方向にネジ部を回すことで簡単に傘と傘保持具を外すことができる
【０１０７】
請求項１０５に記載の発明は
請求項７３〜１０４のいずれかに記載の自立する傘と
請求項４０〜７２のいずれかに記載の傘保持具において
傘の石突きに設けた雄ネジ部（１３）と傘保持具に設けた雌ネジ部（２１）を
回しはめることで傘を自立させることができることを特徴とする自立する傘と
傘保持具である。
これにより保持部にネジ部を備えた傘保持具の保持部にネジ部を備えた傘の支柱を
挿着した場合、保持部のネジ部と支柱のネジ部を回しはめることで、傘を
持ち上げたときに傘の支柱から、傘保持具が外れ落ちてしまうのを防止することが
できる、又は外す方向にネジ部を回すことで簡単に傘と傘保持具を外すことができる
【０１０８】
請求項１０６に記載の発明は
請求項７３〜１０５のいずれかに記載の傘保持具において
傘保持具の一部にバネ（２２）の力で挟む挟持部（２３）を更に備え、
傘の手元（２）に傘保持具の挟持部（２３）を装着することで傘保持具の支脚部
（１６）を傘のフック（２４）として使用できるようにしたことを特徴とする
傘保持具である
これにより傘保持具で傘の手元や中棒に付け替えて傘保持具の挟持部で
手元や中棒を挟むことで傘のフックとして傘保持具を使用することができる
【０１０９】
請求項１０７に記載の発明は
請求項１〜７２のいずれかに記載の自立する傘において
自立する傘の石突き又は自立する傘の石突きの先端に設けた支柱の形状に係合する
保持部を備えた傘保持具に挿着することで、挿着した傘を立たせた状態で保持させる
ことができるようにしたことを特徴とする自立する傘と傘保持具である
これにより傘を立たせて保持することができる。
【図面の簡単な説明】
【０１１０】
【図１】自立する傘と傘保持具の斜視図
【図２】傘保持具の分解斜視図
【図３】傘の石突きの部分拡大斜視図（あ−１）は傘の石突きの底面を分割する縦の溝を設けた石突きの斜視図（あ−２）は傘の石突きの先端に支柱を設けた斜視図（あ−３）は傘の石突きに縦の穴を設けた斜視図
【図４】傘の石突きの部分拡大斜視図（い−１）は傘の石突きに十の字状に分割する縦の溝を設けた斜視図（い−２）は傘の石突きに十の字状の縦の穴を設けた斜視図（い−３）は傘の石突きに複数の縦の溝を周設した斜視図
【図５】傘の石突きの部分拡大斜視図（う−１）は傘の石突きの底面をＹの字状に分割する縦の溝に設けた斜視図（う−２）は傘の石突きにＹの字状の縦の穴を設けた斜視図（う−３）は傘の石突きの底面を放射状に５分割した縦の溝を設けた斜視図
【図６】傘の石突きの部分拡大斜視図（え−１）は傘の石突きに略星型の縦の穴を設けた斜視図（え−２）は傘の石突きの底面を放射状に6分割した縦の溝設けた斜視図（え−３）は傘の石突きに略アスタリスク状の縦の穴を設けた斜視図
【図７】傘の石突きの部分拡大斜視図（お−１）は傘の石突きの底面をＳの字状に分割する縦の溝を設けた斜視図（お−２）は傘の石突きにＳの字状の縦の穴を設けた斜視図（お−３）は傘の石突きの底面をＨの字状に分割する縦の溝を設けた斜視図
【図８】傘の石突きの部分拡大斜視図（か−１）は傘の石突きにＨの字状の縦の穴を設けた斜視図（か−２）は傘の石突きの底面を放射状に分割する縦の溝を設けた斜視図（か−３）は傘の石突きに放射状の縦の穴を設けた斜視図
【図９】傘の石突きの部分拡大斜視図（き−１）は傘の石突きの底面をＶの字状に分割する縦の溝を設けた斜視図（き−２）は傘の石突きにＶの字状の縦の穴を設けた斜視図（き−３）は傘の石突きの断面を十の字状の形状にした石突きの斜視図
【図１０】傘の石突きの部分拡大斜視図（く−１）は傘の石突きの断面をＹの字状の形状にした石突きの斜視図（く−２）は傘の石突きの断面を略星形の形状にした石突きの斜視図（く−３）は傘の石突きの断面をＳの字状の形状にした石突きの斜視図
【図１１】傘の石突きの部分拡大斜視図（け−１）は傘の石突きの断面をHの字状の形状にした石突きの斜視図（け−２）は傘の石突きの断面を放射状の形状にした石突きの斜視図（け−３）は傘の石突きの断面をVの字状の形状にした石突きの斜視図
【図１２】傘の石突きの部分拡大斜視図（こ−１）は傘の石突きの先端に複数の支柱を十の字状に設けた斜視図（こ−２）は傘の石突きの先端に複数の支柱をYの字状に設けた斜視図（こ−３）は傘の石突きの先端に複数の支柱をVの字状に設けた斜視図
【図１３】傘の石突きの部分拡大斜視図（さ−１）は傘の石突きの先端に複数の支柱を放射状に設けた斜視図（さ−２）は傘の石突きの一部に凹凸部を設けた斜視図
【図１４】傘の石突きの先端に設けた支柱の部分拡大斜視図（し−１）は傘の石突きの先端に設けた支柱の底面を分割する縦の溝の斜視図
【図１５】傘の石突きの先端に設けた支柱の部分拡大斜視図（す−１）は傘の石突きの先端に設けた支柱に縦の穴を備えた斜視図（す−２）は傘の石突きの先端に設けた支柱の底面を十の字状に分割する縦の溝の斜視図（す−３）は傘の石突きの先端に設けた十の字状の縦の穴を備えた支柱の斜視図
【図１６】傘の石突きの先端に設けた支柱の部分拡大斜視図（せ−１）は傘の石突きの先端に複数の縦の溝を周設した支柱の斜視図（せ−２）は傘の石突きの先端に設けた支柱の底面をＹの字状に分割する縦の溝を備えた支柱の斜視図（せ−３）は傘の石突きの先端に設けたYの字状の縦の穴を備えた支柱の斜視図
【図１７】傘の石突きの先端に設けた支柱の部分拡大斜視図（そ−１）は傘の石突きの先端に設けた支柱の底面を放射状に5分割した縦の溝を備えた支柱の斜視図（そ−２）は傘の石突きの先端に設けた略星型の縦の穴を備えた支柱の斜視図（そ−３）は傘の石突きの先端に設けた支柱の底面を放射状に６分割した縦の溝を備えた支柱の斜視図
【図１８】傘の石突きの先端に設けた支柱の部分拡大斜視図（た−１）は傘の石突きの先端に設けたアスタリスク型の縦の穴を備えた支柱の斜視図（た−２）は傘の石突きの先端に設けた支柱の底面をSの字状に分割する縦の溝を備えた支柱の斜視図（た−３）は傘の石突きの先端に設けたSの字状の縦の穴を備えた支柱の斜視図
【図１９】傘の石突きの先端に設けた支柱の部分拡大斜視図（ち−１）は傘の石突きの先端に設けた支柱の底面をHの字状に分割する縦の溝を備えた支柱の斜視図（ち−２）は傘の石突きの先端に設けたHの字状の縦の穴を備えた支柱の斜視図（ち−３）は傘の石突きの先端に設けた支柱の底面を放射状に分割する縦の溝を備えた支柱の斜視図
【図２０】傘の石突きの先端に設けた支柱の部分拡大斜視図（つ−１）は傘の石突きの先端に設けた放射状の縦の穴を備えた支柱の斜視図（つ−２）は傘の石突きの先端に設けた支柱の底面をVの字状に分割する縦の溝を備えた支柱の斜視図（つ−３）は傘の石突きの先端に設けたVの字状の縦の穴を備えた支柱の斜視図
【図２１】傘の石突きの先端に設けた支柱の部分拡大斜視図（て−１）は傘の石突きの先端に設けた支柱の断面を十の字状の形状をした支柱の斜視図（て−２）は傘の石突きの先端に設けた支柱の断面をYの字状の形状をした支柱の斜視図（て−３）は傘の石突きの先端に設けた支柱の断面を略星型の形状をした支柱の斜視図
【図２２】傘の石突きの先端に設けた支柱の部分拡大斜視図（と−１）は傘の石突きの先端に設けた支柱の断面をSの字状の形状をした支柱の斜視図（と−２）は傘の石突きの先端に設けた支柱の断面をHの字状の形状をした支柱の斜視図（と−３）は傘の石突きの先端に設けた支柱の断面を放射状の形状をした支柱の斜視図
【図２３】傘の石突きの先端に設けた支柱の部分拡大斜視図（な−１）は傘の石突きの先端に設けた支柱の断面をVの字状の形状をした支柱の斜視図
【図２４】傘保持具の斜視図（に−１）は傘保持具の保持部にＳの字状の溝を備えた保持具の斜視図（に−２）は傘保持具の保持部にＳの字状の穴を備えた保持具の斜視図
【図２５】傘保持具の斜視図（ぬ−１）は傘保持具の保持部にHの字状の溝を備えた保持具の斜視図（ぬ−２）は傘保持具の保持部にHの字状の穴を備えた保持具の斜視図（ぬ−３）は傘保持具の保持部にVの字状の溝を備えた保持具の斜視図
【図２６】傘保持具の斜視図（ね−１）は傘保持具の保持部にVの字状の穴を備えた保持具の斜視図（ね−２）は傘保持具の保持部に十の字状の溝を備えた保持具の斜視図（ね−３）は傘保持具の保持部に十の字状の穴を備えた保持具の斜視図
【図２７】傘保持具の斜視図（の−１）は傘保持具の保持部に縦の溝を周設した保持部の斜視図（の−２）は傘保持具の保持部にYの字状の溝を備えた保持具の斜視図（の−３）は傘保持具の保持部にYの字状の穴を備えた保持具の斜視図
【図２８】傘保持具の斜視図（は−１）は傘保持具の保持部に略星型の溝を備えた保持具の斜視図（は−２）は傘保持具の保持部に略星型の穴を備えた保持具の斜視図（は−３）は傘保持具の保持部に放射状の溝を備えた保持具の斜視図
【図２９】傘保持具の斜視図（ひ−１）は傘保持具の保持部に放射状の穴を備えた保持具の斜視図（ひ−２）は傘保持具の保持部に十の字状の支え柱を備えた保持部の斜視図（ひ−３）は傘保持具の保持部にYの字状の支え柱を備えた保持部の斜視図
【図３０】傘保持具の斜視図（ふ−１）は傘保持具の保持部に5本の放射状の支え柱を備えた保持部の斜視図（ふ−２）は傘保持具の保持部に６本の放射状の支え柱を備えた保持部の斜視図（ふ−３）は傘保持具の保持部に放射状の支え柱を備えた保持部の斜視図
【図３１】傘保持具の斜視図（へ−１）は傘保持具の保持部にSの字状の支え柱を備えた保持部の斜視図（へ−２）は傘保持具の保持部にHの字状の支え柱を備えた保持部の斜視図（へ−３）は傘保持具の保持部にVの字状の支え柱を備えた保持部の斜視図
【図３２】傘保持具の斜視図（ほ−１）は傘保持具の保持部に複数の支え柱を備えた保持部の斜視図（ほ−２）は傘保持具の保持部に十の字状に配置した複数の支え柱の斜視図（ほ−３）は傘保持具の保持部にYの字状に配置した複数の支え柱の斜視図
【図３３】傘保持具の斜視図（ま−１）は傘保持具の保持部にVの字状に配置した複数の支え柱の斜視図（ま−２）は傘保持具の保持部に放射状に配置した複数の支え柱の斜視図
【図３４】傘保持具の図（み−１）は自立する傘のネジ部と傘保持具のネジ部を回しはめた斜視図
【図３５】傘保持具の図（む−１）は傘保持具を傘の手元に付け替えてフックとして利用する斜視図（む−２）は自立する傘と傘保持具を挿着し自立させている斜視図（む−３）はAA−AAの断面図
【図３６】傘保持具の図（め−１）はBB−BBの断面図（め−２）はCC−CCの断面図（め−３）は傘保持具の平面図
【符号の説明】
【０１１１】
１           傘
２           手元
３           中棒
４           石突き
５           形状
５a         十の字状の形状の石突き
５ｂ       Ｙの字状の形状の石突き
５ｃ       略星形の形状の石突き
５ｄ       Ｓの字状の形状の石突き
５e         Hの字状の形状の石突き
５ｆ       放射状の形状の石突き
５g         Vの字状の形状の石突き
６           石突きを分割する縦の溝
６a         石突きを十の字状に分割する縦の溝（６a）
６ｂ       石突きをＹの字状に分割する縦の溝
６ｃ       石突きを放射状に５分割した縦の溝
６ｄ       石突きを放射状に6分割した縦の溝
６e         石突きをＳの字状に分割する縦の溝
６ｆ       石突きをＨの字状に分割する縦の溝
６ｇ       石突きを放射状に分割する縦の溝
６ｈ       石突きをＶの字状に分割する縦の溝
６i          石突きに設けた複数の縦の溝
７           石突きに設けた縦の穴
７a         石突きに設けた十の字状の縦の穴
７ｂ       石突きに設けたＹの字状の縦の穴
７ｃ       石突きに設けた略星型の縦の穴
７ｄ       石突きに設けた略アスタリスク状の縦の穴
７e         石突きに設けたＳの字状の縦の穴
７ｆ       石突きに設けたＨの字状の縦の穴
７ｇ       石突きに設けた放射状の縦の穴
７ｈ       石突きに設けたＶの字状の縦の穴
８           石突きに設けた支柱
８a         石突きに十の字状に設けた複数の支柱  
８ｂ       石突きにYの字状に設けた複数の支柱
８ｃ       石突きにVの字状に設けた複数の支柱
８ｄ       石突きに放射状に設けた複数の支柱
８e         石突きに設けた複数の支柱
９           石突きに設けた支柱の底面を分割する縦の溝
９a         石突きに設けた支柱の底面を十の字状に分割する縦の溝
９ｂ       支柱の底面をＹの字状に分割する縦の溝
９ｃ       支柱の底面を放射状に5分割した縦の溝
９ｄ       支柱の底面を放射状に６分割した縦の溝
９e         支柱の底面をSの字状に分割する縦の溝
９ｆ       支柱の底面をHの字状に分割する縦の溝
９ｇ       支柱の底面を放射状に分割する縦の溝
９ｈ       支柱の底面をVの字状に分割する縦の溝
９i          支柱に周設した縦の溝
１０       石突きに設けた支柱に備えた縦の穴
１０a     支柱に備えた十の字状の縦の穴
１０ｂ    支柱に備えたYの字状の縦の穴
１０ｃ    支柱に備えた略星型の縦の穴
１０ｄ    支柱に備えたアスタリスク型の縦の穴
１０e     支柱に備えたSの字状の縦の穴
１０ｆ    支柱に備えたHの字状の縦の穴
１０ｇ    支柱に備えた放射状の縦の穴
１０ｈ    支柱に備えたVの字状の縦の穴
１０i      断面が十の字状の形状の支柱
１０j      断面がYの字状の形状の支柱
１０ｋ    断面が略星型の形状の支柱
１０ｌ    断面がSの字状の形状の支柱
１０ｍ    断面がHの字状の形状の支柱
１０ｎ    断面が放射状の形状の支柱
１０o     断面がVの字状の形状の支柱
１１       磁石部
１１a     石突きに設けた磁石部
１１ｂ    支柱に設けた磁石
１２       凹凸部
１２a     石突きに設けた凹凸部
１２ｂ    支柱に設けた凹凸部
１３       傘の石突きに設けた雄ネジ部
１３a     石突きに設けたネジ部
１３ｂ    支柱に設けたネジ部
１４       傘保持具
１４a     傘保持具の保持部に設けたＳの字状の溝
１４ｂ    傘保持具の保持部に設けたHの字状の溝
１４ｃ    傘保持具の保持部に設けたVの字状の溝
１４ｄ    傘保持具の保持部に設けた十の字状の溝
１４e     傘保持具の保持部に周設した縦の溝
１４ｆ    傘保持具の保持部に設けたYの字状の溝
１４ｇ    傘保持具の保持部に設けた略星型の溝
１４ｈ    傘保持具の保持部に設けた放射状の溝
１５       保持部
１６       支脚
１７       支え柱
１７a     傘保持具の保持部に設けた十の字状の支え柱
１７ｂ    傘保持具の保持部に設けたYの字状の支え柱
１７ｃ    傘保持具の保持部に設けた5本の放射状の支え柱
１７ｄ    傘保持具の保持部に設けた６本の放射状の支え柱
１７e     傘保持具の保持部に設けた放射状の支え柱
１７ｆ    傘保持具の保持部に設けたSの字状の支え柱
１７ｇ    傘保持具の保持部に設けたHの字状の支え柱
１７ｈ    傘保持具の保持部に設けたVの字状の支え柱
１７i      傘保持具の保持部に設けた複数の支え柱
１７ｊ    傘保持具の保持部に十の字状に配置した複数の支え柱
１７ｋ    傘保持具の保持部にYの字状に配置した複数の支え柱
１７ｌ    傘保持具の保持部にVの字状に配置した複数の支え柱
１７ｍ    傘保持具の保持部に放射状に配置した複数の支え柱
１８       傘保持具の保持部に設けた穴
１８a     傘保持具の保持部に設けたＳの字状の穴
１８ｂ    傘保持具の保持部に設けたHの字状の穴
１８ｃ    傘保持具の保持部に設けたVの字状の穴
１８ｄ    傘保持具の保持部に設けた十の字状の穴
１８ｆ    傘保持具の保持部に設けたYの字状の穴
１８ｇ    傘保持具の保持部に設けた略星型の穴
１８ｈ    傘保持具の保持部に設けた放射状の穴
１９       傘保持具の保持部に設けた磁石部
２０       傘保持具の保持部に設けた凹凸部
２１       傘保持具の保持部に設けたネジ部
２２       バネ
２３       挟持部
２４       フック
２５    傘保持具の本体側に設けたネジ部
２６    ピン
２７    バネ止め
【図１】
2017086573.tif 000003
【図２】
2017086573.tif 000004
【図３】
2017086573.tif 000005
【図４】
2017086573.tif 000006
【図５】
2017086573.tif 000007
【図６】
2017086573.tif 000008
【図７】
2017086573.tif 000009
【図８】
2017086573.tif 000010
【図９】
2017086573.tif 000011
【図１０】
2017086573.tif 000012
【図１１】
2017086573.tif 000013
【図１２】
2017086573.tif 000014
【図１３】
2017086573.tif 000015
【図１４】
2017086573.tif 000016
【図１５】
2017086573.tif 000017
【図１６】
2017086573.tif 000018
【図１７】
2017086573.tif 000019
【図１８】
2017086573.tif 000020
【図１９】
2017086573.tif 000021
【図２０】
2017086573.tif 000022
【図２１】
2017086573.tif 000023
【図２２】
2017086573.tif 000024
【図２３】
2017086573.tif 000025
【図２４】
2017086573.tif 000026
【図２５】
2017086573.tif 000027
【図２６】
2017086573.tif 000028
【図２７】
2017086573.tif 000029
【図２８】
2017086573.tif 000030
【図２９】
2017086573.tif 000031
【図３０】
2017086573.tif 000032
【図３１】
2017086573.tif 000033
【図３２】
2017086573.tif 000034
【図３３】
2017086573.tif 000035
【図３４】
2017086573.tif 000036
【図３５】
2017086573.tif 000037
【図３６】
2017086573.tif 000038